(57)【要約】【課題】遊技用可変表示装置や演出用可変表示装置の可変表示部の数を変更する場合において、本体に加工を施したり交換することなく、停止操作ユニットの配置数を容易に変更することが出来るスロットマシンを提供すること。【解決手段】スロットマシンの本体前面には、遊技用可変表示装置の可変表示部または演出用可変表示装置の可変表示部の表示状態の変化を停止させる停止操作ユニットを着脱自在に装着するための停止操作ユニット装着部７９８〜８００が設けられており、該停止操作ユニット装着部７９８〜８００は、前記遊技用可変表示装置または前記演出用可変表示装置の可変表示部の数の変更に応じて前記停止操作ユニットの配置数を変更することが出来るように構成されている。【選択図】    図１６
2004154454.tif 000002
【特許請求の範囲】
【請求項１】
１ゲームに対して賭数を設定することによりゲームが開始可能となるとともに、表示状態を変化させることが可能な遊技用可変表示装置の表示結果が導出表示されることにより１ゲームが終了し、該遊技用可変表示装置の表示結果に応じて所定の入賞が発生可能なスロットマシンであって、
前記遊技用可変表示装置の可変表示部または遊技に関連する演出を行うために前記遊技用可変表示装置とは別個に構成される演出用可変表示装置の可変表示部の表示状態の変化を停止させる停止操作ユニットを着脱自在に装着するための停止操作ユニット装着部が設けられており、
該停止操作ユニット装着部は、前記遊技用可変表示装置または前記演出用可変表示装置の可変表示部の数の変更に応じて前記停止操作ユニットの配置数を変更することが出来るように構成されていることを特徴とするスロットマシン。
【請求項２】
前記スロットマシンは前記演出用可変表示装置を備え、
前記遊技用可変表示装置及び前記演出用可変表示装置は、複数種の識別情報が外周面に配置されるとともに、駆動手段により回動自在に設けられたリールからなり、
前記演出用可変表示装置に対応する演出用リールは、前記遊技用可変表示装置に対応する遊技用リールと同一構造とされているとともに、該遊技用リールとともに並設されている請求項１に記載のスロットマシン。
【請求項３】
前記停止操作ユニットは、前記可変表示部の数に対応して備えられ、
前記停止操作ユニット装着部は、前記停止操作ユニットのうち、配置方向の両端にそれぞれ配置される停止操作ユニットの配置間隔を変更することなく、各停止操作ユニットを互いに等間隔おきに配置させることが出来るように構成されている請求項１または２に記載のスロットマシン。
【請求項４】
前記停止操作ユニット装着部は、配置方向の両端にそれぞれ配置される停止操作ユニットを装着するための側端装着部と、
該両側端装着部間に配置される停止操作ユニットを装着するための中央装着部と、から構成され、
前記中央装着部は、複数の停止操作ユニットの装着部が連続形成された単一の装着部にて形成されている請求項３に記載のスロットマシン。
【請求項５】
前記スロットマシンの本体前面には、前記停止操作ユニット装着部の前方を被覆するように装飾する装飾部材が着脱自在に設けられており、前記装飾部材には、前記停止操作ユニット装着部に装着された停止操作ユニットの停止操作部を前方に臨ませる挿通穴が形成されている請求項１〜４のいずれかに記載のスロットマシン。
【請求項６】
前記装飾部材には、前記停止操作ユニット装着部を視認不能に隠蔽するための隠蔽部が形成されている請求項５に記載のスロットマシン。
【請求項７】
前記装飾部材は、前記停止操作ユニット装着部に装着された前記停止操作ユニットによって、前記スロットマシンの本体前面から逸脱不能に係止される請求項５または６に記載のスロットマシン。
【発明の詳細な説明】
【０００１】
【発明の属する技術分野】
本発明は、１ゲームに対して賭数を設定することによりゲームが開始可能となるとともに、表示状態を変化させることが可能な遊技用可変表示装置の表示結果が導出表示されることにより１ゲームが終了し、該遊技用可変表示装置の表示結果に応じて所定の入賞が発生可能なスロットマシンに係わり、特に遊技用可変表示装置または演出用可変表示装置の可変表示部の数の変更に対応可能なスロットマシンに関する。
【０００２】
【従来の技術】
従来、この種のスロットマシンに設けられる遊技用可変表示装置（リール）は、複数の可変表示部（例えば３個）を備えているとともに、これら複数の可変表示部の表示状態の変化を停止させるための停止操作ボタンが、３個の可変表示部に対応してそれぞれ個別（３個）に配置されている（例えば、特許文献１参照）。
【０００３】
一方、入賞とするか否かを決定する３個のメインリールと、入賞に基づいて配当を決定する１個の配当リールと、からなる４個のリール、及びこれらメインリール及び配当リールにて構成される可変表示部にそれぞれ対応して４個の停止操作ボタンが配置されたもの等がある（例えば、特許文献２参照）。
【０００４】
【特許文献１】
特開平１０−１１３４２１号公報（第３−５頁、第１−３図）
【特許文献２】
特開平１０−３１４３７２号公報（第３−４頁、第８図）
【０００５】
【発明が解決しようとする課題】
しかしながら、上記特許文献１に記載されたスロットマシンのように３個の可変表示部が構成された遊技用可変表示装置を備えているものにおいて、例えば機種変更等に応じて可変表示部の数を３個以上に変更しようとする場合や、あるいは、上記特許文献２に記載されたスロットマシンの配当リールのように、例えば演出用可変表示装置の増設に応じて可変表示部を新たに設ける場合等において、これら遊技用可変表示装置や演出用可変表示装置の可変表示部に対応する停止操作ボタンを増設するためには、スロットマシンの本体に加工を施したり、あるいは本体を交換する必要があった。
【０００６】
このように、スロットマシンの本体に加工を施す場合は加工作業が繁雑なものとなって手間がかかるばかりか、交換する場合は製造コストが嵩むため、可変表示部の数の変更に対応して停止操作ボタンの配置数を容易に変更することが出来ないといった問題を有していた。
【０００７】
本発明は、このような問題点に着目してなされたもので、遊技用可変表示装置や演出用可変表示装置の可変表示部の数を変更する場合において、本体に加工を施したり交換することなく、停止操作ユニットの配置数を容易に変更することが出来るスロットマシンを提供することを目的とする。
【０００８】
【課題を解決するための手段】
上記課題を解決するために、本発明のスロットマシンは、１ゲームに対して賭数を設定することによりゲームが開始可能となるとともに、表示状態を変化させることが可能な遊技用可変表示装置の表示結果が導出表示されることにより１ゲームが終了し、該遊技用可変表示装置の表示結果に応じて所定の入賞が発生可能なスロットマシンであって、
前記遊技用可変表示装置の可変表示部または遊技に関連する演出を行うために前記遊技用可変表示装置とは別個に構成される演出用可変表示装置の可変表示部の表示状態の変化を停止させる停止操作ユニットを着脱自在に装着するための停止操作ユニット装着部が設けられており、
該停止操作ユニット装着部は、前記遊技用可変表示装置または前記演出用可変表示装置の可変表示部の数の変更に応じて前記停止操作ユニットの配置数を変更することが出来るように構成されていることを特徴としている。
この特徴によれば、停止操作ユニット装着部は、予め停止操作ユニットの配置数を変更することが出来るように構成されているため、遊技用可変表示装置または演出用可変表示装置の可変表示部の数を変更する場合において、本体に加工を施したり交換することなく、停止操作ユニットの配置数を容易に変更することが出来る。
【０００９】
本発明のスロットマシンは前記演出用可変表示装置を備え、
前記遊技用可変表示装置及び前記演出用可変表示装置は、複数種の識別情報が外周面に配置されるとともに、駆動手段により回動自在に設けられたリールからなり、
前記演出用可変表示装置に対応する演出用リールは、前記遊技用可変表示装置に対応する遊技用リールと同一構造とされているとともに、該遊技用リールとともに並設されていることが好ましい。
このようにすれば、遊技用リール及び演出用リールが同一構造とされているので、リールを増設する場合における製造コストの低減化を図ることが出来るばかりか、遊技用リール及び演出用リールが並設されることで、リールの外観が向上するとともに、並設されるリールと該リールに対応する停止操作ユニットとを関連付けて配置することが出来るため、遊技者に違和感を与えることがない。
【００１０】
本発明のスロットマシンの前記停止操作ユニットは、前記可変表示部の数に対応して備えられ、
前記停止操作ユニット装着部は、前記停止操作ユニットのうち、配置方向の両端にそれぞれ配置される停止操作ユニットの配置間隔を変更することなく、各停止操作ユニットを互いに等間隔おきに配置させることが出来るように構成されていることが好ましい。
このようにすれば、停止操作ユニットの配置数を変更しても、停止操作ユニット装着部の両端に配置される停止操作ユニットの配置位置は変更されないため、停止操作ユニット全体が偏って配置されて、遊技者に違和感を与えることがない。
【００１１】
本発明のスロットマシンの前記停止操作ユニット装着部は、配置方向の両端にそれぞれ配置される停止操作ユニットを装着するための側端装着部と、
該両側端装着部間に配置される停止操作ユニットを装着するための中央装着部と、から構成され、
前記中央装着部は、複数の停止操作ユニットの装着部が連続形成された単一の装着部にて形成されていることが好ましい。
このようにすれば、両端の停止操作ユニットの配置位置が固定されていることが明確になるため、配置位置の変更を間違えることなく行うことが出来る。
【００１２】
本発明のスロットマシンの本体前面には、前記停止操作ユニット装着部の前方を被覆するように装飾する装飾部材が着脱自在に設けられており、
前記装飾部材には、前記停止操作ユニット装着部に装着された停止操作ユニットの停止操作部を前方に臨ませる挿通穴が形成されていることが好ましい。
このようにすれば、装飾部材により停止操作ユニット装着部の前方が被覆するように装飾されるので、停止操作ユニット装着部が外部に露呈して外観が損なわれたり、不正行為やいたずら等がなされるのを効果的に回避出来るばかりか、停止操作ユニットの配置数の変更があった場合には、配置される停止操作ユニットに対応する挿通穴が形成された装飾部材に交換するだけで停止操作ユニットの配置数の変更に容易に対応することが出来る。
【００１３】
本発明のスロットマシンの前記装飾部材には、前記停止操作ユニット装着部を視認不能に隠蔽するための隠蔽部が形成されていることが好ましい。
このようにすれば、装飾部材を透して停止操作ユニット装着部を視認することが出来なくなるため、外観体裁が向上される。
【００１４】
本発明のスロットマシンの前記装飾部材は、前記停止操作ユニット装着部に装着された前記停止操作ユニットによって、前記スロットマシンの本体前面から逸脱不能に係止されることが好ましい。
このようにすれば、装飾部材の本体前面への装着が停止操作ユニットの装着と兼用されるため、作業性が向上する。
【００１５】
【発明の実施の形態】
以下、本発明の実施態様について図面を参照して説明する。
（１）スロットマシンの概略説明
まず、図１〜図５を参照してスロットマシンの概略構成について説明すると、図１はスロットマシン１を斜め前方から見た斜視図であり、図２は前面扉３を開放した状態のスロットマシン１を斜め前方から見た斜視図であり、図３はスロットマシン１の正面図であり、図４はスロットマシン１の筐体２内を示す正面図であり、図５はスロットマシン１の前面扉を示す背面図である。
【００１６】
本実施例におけるスロットマシン１は、前面が開口する筐体２と、この筺体２の側端に回動自在に枢支された前面扉３と、から構成されており、前面扉３の裏面に設けられた施錠装置４（図５参照）の鍵穴４ａに挿入した所定のキーを時計回り方向に回動操作することにより施錠が解除されて前面扉３を開放することができるようになっている。
【００１７】
（１―１）前面扉の前面
前面扉３の前面上端部には、遊技効果ＬＥＤ１３０（図３参照）が内蔵された遊技効果ＬＥＤ部４１が左右方向に延びるように設けられているとともに、左右側端部には、遊技効果ＬＥＤ１３１ａ〜１３１ｃ（図３参照）が内蔵された発光部としての遊技効果ＬＥＤ部４２Ｌ、及び遊技効果ＬＥＤ１３２ａ〜１３２ｃ（図３参照）が内蔵された発光部としての遊技効果ＬＥＤ部４２Ｒが、前面扉３の上部から下部にわたって一連に設けられている。これら遊技効果ＬＥＤ部４１、４２Ｌ、４２Ｒにより囲まれた前面扉３の前面には、役構成等が印刷された上部パネル５、各種表示部が形成された遊技パネル６、タイトル等が印刷された下部パネル７が各々設けられている。なお、下部パネル７の内部には表示面を後方から照らす蛍光灯１３９が内蔵されている。下部パネル７の下方には、メダル払出穴９から払出されるメダルを受け入れるメダル受皿１０が突設されている。なお、メダル受皿１０の左側には灰皿１３が設けられている。
【００１８】
遊技パネル６と下部パネル７の間には、操作部８が遊技パネル６よりも前方に膨出するように形成されており、この操作部８には、遊技媒体であるメダルを投入可能なメダル投入部３４や、各種操作ボタン３５、３６ａ、３６ｂ、３７、４０Ｌ、４０Ｃ、４０Ｒ、及びスタートレバー３８等が設けられている。
【００１９】
上部パネル５の左右側には、内部に設けられる高音スピーカ１３６Ｌ、１３６Ｒ（図５参照）から出力される音を放音する放音部１２Ｌ、１２Ｒがそれぞれ設けられているとともに、これら左右の放音部１２Ｌ、１２Ｒの間には、上部パネル５の後面に設けられる演出手段の一例である演出用リール９１Ｌ、９１Ｃ、９１Ｒを透視するための透明な演出用透視窓１１が印刷形成されている。
【００２０】
この演出用透視窓１１から視認できる各演出用リールの領域を、各演出用リールに対応させて左可変表示部９２Ｌ、中可変表示部９２Ｃ、右可変表示部９２Ｒ（領域）と呼ぶ（図３参照）。この演出用可変表示部としての各可変表示部５２Ｌ、５２Ｃ、５２Ｒからは、各演出用リールに描かれた複数の図柄のうち、連続する３つの図柄が上段、中段、下段の位置に表示される。
【００２１】
遊技パネル６には、筐体２に内設された後述するゲーム用リール５１Ｌ、５１Ｃ、５１Ｒを透視可能な透視窓１４と、各種表示部１６〜３３と、がそれぞれ印刷形成されている。
【００２２】
遊技パネル６に設けられた各種表示部のうち、クレジット表示部３１は、内蔵されたクレジット表示器１０９（図５参照）によりクレジットが表示される。クレジットとは、遊技者所有の有価価値としてスロットマシン１内部の記憶部に記憶されているメダル数である。このスロットマシン１では、クレジットとして記憶可能な価値の上限値が最大でメダル５０枚分とされており、この上限値を越えるクレジットの加算更新の要求が発生した場合にはその上限を越えるメダルがメダル払出穴９から払出される。クレジット表示器１０９は、横並び状態で設けられた３個の７セグメント表示器からなり、３桁の数値を表示可能であるため、前記クレジットの上限が前記１００枚以上となった場合にも対応出来るとともに、クレジットの表示として使用しない７セグメント表示器は演出のために使用することが出来るようになっている。
【００２３】
ゲーム回数表示部３２は、後述するビッグボーナス（以下ＢＢと略称する）中に提供されるビッグボーナスゲーム（以下ＢＢゲームと略称する）の残回数や、後述するレギュラーボーナス（以下ＲＢと略称する）の残回数等が内蔵されたゲーム回数表示器１０８（図５参照）により表示される。さらにゲーム回数表示部３２は、スロットマシン１に発生した各種の異常を表示する報知手段であるエラー表示器としても機能する。
【００２４】
ペイアウト表示部３３は、１ゲーム中に発生した入賞に基づいて遊技者に付与されるメダル枚数が入賞がある毎に、内蔵されたペイアウト表示器１１０（図５参照）により表示される。さらに、本実施例におけるスロットマシン１は、予め定められた入賞確率の値を例えば６つのパターンの設定値として記憶しており、前記ペイアウト表示部３３には、この設定値が前記ペイアウト表示器１１０により表示されるようになっている。
【００２５】
１〜３枚賭け表示部４６〜４８は、内蔵された１〜３枚賭けＬＥＤ１１１〜１１３（図５参照）が、遊技者がゲームに賭数を設定した場合にその賭数に応じて点灯する。
【００２６】
リプレイ表示部２７は、リプレイ入賞が発生した場合に、その内部に内蔵されたリプレイＬＥＤ１１４（図５参照）が点灯する。スタート表示部２８は、賭数が設定されることによりスタート操作をすることが可能となった場合に、その内部に内蔵されたスタートＬＥＤ１１５（図５参照）が点灯し、有効なスタート操作が検出されることにより消灯する。投入指示表示部３０は、メダルを受付可能な状態である場合に、その内部に内蔵された投入指示ＬＥＤ１１７（図５参照）が点滅し、メダルを受付不可能な状態である場合に消灯する。
【００２７】
ウェイト表示部２９は、ウェイトタイム中にスタート操作が検出された場合に、その内部に内蔵されたウェイトＬＥＤ１１６（図５参照）が点灯し、ウェイトタイムが経過した後に消灯する。ウェイトタイムは、ゲームがあまりに速く進行しすぎてしまうことを規制するために設定されたゲーム進行規制期間であり、このウェイトタイム中にスタート操作が検出されると、ウェイトタイムが経過した後にリールが始動するように設定されている。
【００２８】
演出用表示部１６〜２５のうち演出用表示部１７〜２０は、リプレイ表示部２７、ウェイト表示部２９、スタート表示部２８、投入指示表示部３０と、演出用表示部２１〜２５は、１〜３枚賭け表示部４６〜４８と、各々同様に機能する表示部であり、これら各表示部に内蔵されたＬＥＤ１１１〜１１７の点灯／消灯に応じて、各々対応する演出用表示部１７〜２５に内蔵された演出用ランプ１４１〜１４９（図５参照）が点灯／消灯する。また、演出用表示部１６は、ビッグボーナス入賞やレギュラーボーナス入賞の発生が許容されている場合に、その内部に内蔵された演出用ランプ１４０（図５参照）が点灯するようになっており、ボーナス告知表示部として機能する。
【００２９】
操作部８の上面右側には、メダル投入口３４ａが形成されたメダル投入部３４が設けられているとともに、上面左側には精算ボタン３７、１枚ＢＥＴボタン３６ａ、ＭＡＸＢＥＴボタン３６ｂがそれぞれ設けられている。
【００３０】
１枚ＢＥＴボタン３６ａは、クレジットを使用してメダルを１枚分賭ける際に押圧するボタンであり、ＭＡＸＢＥＴボタン３６ｂは、１ゲームにおいて許容される賭数の最大数（本実施例ではメダル３枚分）をクレジットの範囲内で賭ける際に押圧するボタンである。１枚ＢＥＴボタン３６ａの表面には、該当する賭数である「１」の数字が刻設されているとともに、ＭＡＸＢＥＴボタン３６ｂの内部には、ＭＡＸＢＥＴボタンＬＥＤ１２１が内蔵されており（図５参照）、これらのＭＡＸＢＥＴボタンＬＥＤ１２１は、ＭＡＸＢＥＴボタン３６ｂの操作により賭数を設定可能な状態にある場合に点灯し、賭数を設定不可能な状態の場合に消灯する。なお、１枚ＢＥＴボタン３６ａの操作は内蔵された１枚ＢＥＴスイッチ１００に、また、ＭＡＸＢＥＴボタン３６ｂの操作は内蔵されたＭＡＸＢＥＴスイッチ１０１（図５参照）にて検出される。
【００３１】
精算ボタン３７は、記憶部に記憶されているクレジットの精算操作をする際に押圧するボタンであり、この精算ボタン３７の押圧操作は、内蔵された精算スイッチ１０４（図５参照）にて検出され、クレジットとして記憶されている枚数のメダルがメダル払出穴９から払出されるようになっている。
【００３２】
操作部８の前面には、スタートレバー３８、ストップボタン４０Ｌ、４０Ｃ、４０Ｒ、メダル詰まり解除ボタン３５がそれぞれ設けられている。スタートレバー３８は、ゲームを開始する際に操作するレバーであり、賭数の設定終了後においてスタートレバー３８を操作することにより、その操作が内蔵されたスタートスイッチ１０２（図５参照）にて検出されリールユニット５０の各リール５１Ｌ、５１Ｃ、５１Ｒの回転が開始される。
【００３３】
各ストップボタン４０Ｌ、４０Ｃ、４０Ｒは、ゲームが開始した後にリール５１Ｌ、５１Ｃ、５１Ｒの回転を停止させる際に操作するボタンであり、その操作は内蔵されたストップスイッチ１０３Ｌ、１０３Ｃ、１０３Ｒ（図５参照）にて検出されるようになっている。また、ストップボタン４０Ｌ、４０Ｃ、４０Ｒの内部には操作有効ＬＥＤ１２２Ｌ、１２２Ｃ、１２２Ｒが、それぞれ内蔵されており（図５参照）、これら操作有効ＬＥＤ１２２Ｌ、１２２Ｃ、１２２Ｒは、対応するストップボタン４０Ｌ、４０Ｃ、４０Ｒの操作が有効である場合に点灯し、操作が無効である場合に消灯する。
【００３４】
メダル詰まり解除ボタン３５は、メダル投入部３４に投入されたメダルが内部で詰まった場合に、これを解消させる際に操作するボタンである。
【００３５】
（１―２）筐体の内部
次に、筐体２内上部には、図２及び図４に示されるように、後述する遊技制御基板５００が収容された遊技制御基板ボックス３５０が、背板１５３に取り付けられた基板取付部材３５１（図１０参照）に取り付けられている。さらにその側方には、遊技制御基板５００から出力される試験信号等を外部に出力するための外部出力基板５０５が取り付けられている。
【００３６】
筐体２内略中央部には、複数種の図柄が印刷された透光性を有する帯状のリールシートが外周に巻回されたリール５１Ｌ、５１Ｃ、５１Ｒを有する可変表示装置としてのリールユニット５０が設けられている。それぞれのリール５１Ｌ、５１Ｃ、５１Ｒは、各々に対応して設けられたリールモータ５４Ｌ、５４Ｃ、５４Ｒによりそれぞれ独立して縦方向に回転（駆動）、停止するように構成されており、各リール５１Ｌ、５１Ｃ、５１Ｒが回転することにより、透視窓１４には前記各種図柄が連続的に変化しつつ表示されるようになっている。
【００３７】
透視窓１４から視認できる各リールの領域を、各リールに対応させて左可変表示部５２Ｌ、中可変表示部５２Ｃ、右可変表示部５２Ｒ（領域）と呼ぶ（図３参照）。この遊技用可変表示部としての各可変表示部５２Ｌ、５２Ｃ、５２Ｒからは、各リールに描かれた複数の図柄のうち、連続する３つの図柄が上段、中段、下段の位置に表示される。
【００３８】
各リール５１Ｌ、５１Ｃ、５１Ｒには、それぞれのリールの回転基準位置を検出するリールセンサ５６Ｌ、５６Ｃ、５６Ｒが備えられており、このリールセンサ５６Ｌ、５６Ｃ、５６Ｒにより所定の図柄の停止位置を導出できるようになっているとともに、各リール５１Ｌ、５１Ｃ、５１Ｒにおける特定の表示領域（上、中、下段の表示領域）を裏面から個別に照射可能な複数のリールランプ５５Ｌａ〜５５Ｌｃ、５５Ｃａ〜５５Ｃｃ、５５Ｒａ〜５５Ｒｃがそれぞれ上、中、下段に設けられており、これら各リールランプ５５Ｌａ〜５５Ｌｃ、５５Ｃａ〜５５Ｃｃ、５５Ｒａ〜５５Ｒｃは、透視窓１４に表示される各図柄を後方から点灯するバックライトとして機能するようになっている。
【００３９】
また、リールユニット５０の背面には、各リールモータ５４Ｌ、５４Ｃ、５４Ｒ、リールセンサ５６Ｌ、５６Ｃ、５６Ｒの配線を遊技制御基板５００に接続するためのリール中継基板５０３が設けられているとともに、リールユニット５０の上面には、リールランプ５５Ｌａ〜５５Ｌｃ、５５Ｃａ〜５５Ｃｃ、５５Ｒａ〜５５Ｒｃからの配線が接続されるリールランプ中継基板５０４が設けられている。
【００４０】
リールユニット５０の下方には、メダル投入部３４から投入されたメダルを貯留するホッパータンク５７ａを有するホッパーユニット５７が設けられている。また、ホッパーユニット５７の右側にはホッパータンク５７ａからオーバーフローしたメダルが貯留されるオーバーフロータンク５９が設けられている。このオーバーフロータンク５９内にはメダルを検出可能なフルセンサ６０ａ、６０ｂが設けられており、内部に貯留されたメダル貯留量が所定量以上となったことを検出できるようになっている。
【００４１】
ホッパーユニット５７の下方部分にはホッパーモータ６２が設けられており、このホッパーモータ６２が回転することによりホッパータンク５７ａ内のメダルがメダル排出口６３から排出される。排出されたメダルは、メダル排出口６３の近傍に設けられる払出しメダルセンサ６１により検出された後、後述するメダル返却通路部材７３（図５参照）に形成されたメダル合流口７４（図５参照）を通して内部に流入し、メダル払出穴９から払い出される。
【００４２】
ホッパーユニット５７の側方には、メイン電源をｏｎ／ｏｆｆするメインスイッチ部６６と、エラーが生じた場合等において再びゲームを続行可能な状態にリセットする操作、及び入賞確率を変更可能とする操作を可能な設定／リセットボタン６７と、自動精算機能をｏｎ／ｏｆｆする自動精算選択スイッチ部６８と、自動打止め機能をｏｎ／ｏｆｆする打止め選択スイッチ部６９と、遊技場の管理者等が所持する特定のキーを挿入可能な設定キー挿入部７０と、が前面に設けられるとともに、電源基板５０２が内蔵された電源ユニット６５が配設されている。
【００４３】
本実施例では、設定キー挿入部７０のｏｎ／ｏｆｆ状態に関わらず、電源投入を行うことにより、その時点での自動精算選択スイッチ部６８及び打止め選択スイッチ部６９の状態にて設定されるとともに、設定／リセットボタン６７がリセットボタンとして機能することになる。また、縦長長方形状の設定キー挿入部７０が鉛直方向に対して左斜め４５度のｏｆｆの状態で特定のキーを挿入してから時計回りに９０度回転した状態、すなわちｏｎの状態で電源投入を行う操作により、設定キースイッチ（図示略）のｏｎが検出され、遊技状態の初期化、すなわち、遊技制御基板５００内に設けられたＲＡＭ（図示略）の記憶内容の初期化が実行されるとともに、設定／リセットボタン６７がリセットボタンとして機能することになり、この設定／リセットボタン６７の操作により入賞確率、すなわち出玉率の変更が実行可能となる。
【００４４】
設定キー挿入部７０は、ｏｆｆの状態において、垂直方向に対して左斜め４５度に傾斜した状態をなし、ｏｎの状態において、垂直方向に対して右斜め４５度に傾斜した状態となるように設けられているため、設定キーによる回動操作が行いやすいとともに、遊技状態のリセット及び入賞確率の設定それぞれの機能を１つのボタン操作にて行うことが出来るようにしたことで、操作性が向上する。
【００４５】
（１―３）前面扉の後面
次に、前面扉３の後面上部には、図５に示されるように、演出用可変表示装置を構成する演出用ユニット９０が取り付けられている。演出用ユニット９０は、主に前方に開口する直方体状の演出用リール収容箱内に内蔵される演出用リール９１Ｌ、９１Ｃ、９１Ｒと、前記演出用リール収容箱の後面側（図５中手前側）に取り付けられる演出制御基板５０１と、から構成されている。演出用リール９１Ｌ、９１Ｃ、９１Ｒ内には、演出用リールセンサ１２７Ｌ、１２７Ｃ、１２７Ｒと、演出用リールＬＥＤ１２８Ｌ、１２８Ｃ、１２８Ｒと、演出用リールモータ１２９Ｌ、１２９Ｃ、１２９Ｒと、が内蔵されている。
【００４６】
また、演出用ユニット９０の左右側には、高音スピーカ１３６Ｌ、１３６Ｒが放音部１２Ｌ、１２Ｒに臨むように取り付けられている。高音スピーカ１３６Ｌの後面側には、前記演出制御基板５０１に接続される演出用中継基板５０９が取り付けられている。また、スピーカ１３６Ｒの後方には、後述する遊技パネルユニット９５に組み付けられる冷陰極管１３８ａ〜１３８ｃ用の冷陰極管用インバータ１２４が取り付けられている。冷陰極管用インバータ１２４は、直方形状をなし、前面扉３の後面に対して縦向きに取り付けられている。
【００４７】
さらに、前面扉３の後面上部における図中向かって演出用ユニット９０の後側には、演出制御基板５０１に接続されるとともに、遊技効果ＬＥＤ１３０〜１３２、各スピーカ１３６Ｌ、１３６Ｒ、冷陰極管１３８ａ〜１３８ｃ、蛍光灯１３９からの配線が接続されるドアベース中継基板５０６が設けられている。
【００４８】
前面扉３の後面中央部には、遊技パネル６及び各種演出用装置が組み付けられる遊技パネルユニット９５が組み付けられている。遊技パネルユニット９５の前面側には、遊技パネル６及びリール５１Ｌ、５１Ｃ、５１Ｒを上方から照らす発光色の異なる３本の冷陰極管１３８ａ〜１３８ｃが取り付けられている。
【００４９】
また、遊技パネルユニット９５の後面側には、演出用ランプ１４０〜１４４が搭載される演出用ランプ基板５４１と、演出用ランプ１４５〜１４９が搭載される演出用ランプ基板５４２と、各種表示器１０８〜１１０、１２０、各種ＬＥＤ１１１〜１１７が搭載される表示基板５４３と、演出用ランプ基板５４１、５４２を演出制御基板５０１に接続するための演出用ランプ中継基板５０８と、が取り付けられている。なお、図５中の符号１２０は設定値表示器を示しており、この設定値表示器１２０が前面扉３の後面側に向けて取り付けられていることによって、電源ユニット６５にて設定値の設定操作を行う際において、開放した前面扉３の前面のペイアウト表示部３３を覗き込むことなく、設定値表示器１２０にて設定値を確認することが出来るため、操作性が向上する。
【００５０】
遊技パネルユニット９５の下方には、メダル投入部３４から投入された正規なメダルのみを後述するホッパータンク５７ａに導く投入メダルセレクタ７１が設けられている。直径や厚みの異なる不正メダルは、この投入メダルセレクタにより振り分けられて、メダル返却通路部材７３を介してメダル払出穴９から返却される。
【００５１】
投入メダルセレクタ７１の下流側には、流下するメダル流路を選択的に切替可能とする流路切替ソレノイド１０７が設けられている。通常時において流路切替ソレノイド１０７は励磁されており、この状態において流下するメダルは投入メダルセンサ１０６ａ〜１０６ｃにより検出された後、メダル誘導樋７２を流下してホッパータンク５７ａ内に貯留されるようになっている。また、メダル投入が不可能な場合には、流路切替ソレノイド１０７の励磁が解除されて流路が切替わって、メダル返却通路部材７３を介してメダル払出穴９から返却される。
【００５２】
また、投入メダルセレクタ７１の側方には、操作部８に設けられる各種操作部からの配線をまとめた状態で遊技制御基板５００に接続するための操作部中継基板５０７が、合成樹脂材により構成された操作部中継基板ケース内に被覆された状態で設けられている。さらにこの操作部中継基板５０７の下方には、前面に設けられる蛍光灯１３９用の蛍光灯用インバータ１２５が取り付けられている。
【００５３】
さらに、メダル返却通路部材７３を挟んで蛍光灯用インバータ１２５の反対側には、スピーカ取付用のスピーカ取付穴７５が横向き楕円形状のリブ周りに４個設けられており、スピーカを取り付けることが出来るようになっている。
【００５４】
（１―４）遊技状態の説明
次に、遊技者が遊技（ゲーム）を行うための操作や、該操作に伴う各種装置の作動状況を説明する。
【００５５】
ゲームを開始する場合は、メダルやクレジットを使用して所望の大きさの有価価値を賭けて所望の大きさの賭数を設定する。賭数は、メダルをメダル投入部３４から投入するか、あるいはクレジットを使用することにより設定できるようになっている。クレジットを使用するにはＭＡＸＢＥＴボタン３６ｂ、または１枚ＢＥＴボタン３６ａを押圧すれば良い。
【００５６】
遊技者により賭数が「１」に設定されると入賞ラインＬ１が有効となり、賭数が「２」に設定されると入賞ラインＬ１、Ｌ２、Ｌ２’が有効となり、賭数が「３」に設定されると入賞ラインＬ１、Ｌ２、Ｌ２’、Ｌ３、Ｌ３’が有効となる。
【００５７】
そして少なくとも「１」の賭数が設定された時点でスタートレバー３８の操作が有効に受付けられる状態、すなわち、ゲームが開始可能な状態となる。
【００５８】
尚、このような賭数に応じて有効化される入賞ラインの本数、及び形状等は任意に変更可能であり、本実施例の形態に限定されるものではない。また、賭数に応じて有効化される入賞ラインの本数も任意に設定変更可能である。
【００５９】
ゲームが開始可能な状態でスタートレバー３８を押圧操作すれば、各リール５１Ｌ、５１Ｃ、５１Ｒが回転し、透視窓１４には複数種類の図柄が連続的に変化するように表示される。各リール５１Ｌ、５１Ｃ、５１Ｒの回転が開始されてから所定時間が経過すれば各ストップボタン４０Ｌ、４０Ｃ、４０Ｒの操作が有効になり、この状態で遊技者がいずれかのストップボタン４０Ｌ、４０Ｃ、４０Ｒを押圧操作すれば、対応するリールの回転が停止され、透視窓１４からは対応する可変表示部の上、中、下段に図柄が表示される。
【００６０】
また、遊技者がストップボタン４０Ｌ、４０Ｃ、４０Ｒを押圧操作しない場合には、一定時間が経過した時点で自動的に各リール５１Ｌ、５１Ｃ、５１Ｒの回転が順次停止する。
【００６１】
そして全てのリール５１Ｌ、５１Ｃ、５１Ｒが停止された時点で、賭数に応じて有効化されたいずれかの入賞ラインＬ１、Ｌ２、Ｌ２’、Ｌ３、Ｌ３’上に予め定められた図柄の組合せが表示された場合は入賞となり、入賞内容に対応して予め定められた所定枚数のメダルが遊技者に対してクレジットとして払出される。また、クレジットが上限数に達した場合には、メダルが直接メダル払出穴９から払い出される。
【００６２】
また、特に予め定められた特別図柄の組合せが表示されて大当たり入賞した場合にあっては、メダルの払出しが行なわれるとともに、通常遊技状態とは異なるとともに、遊技者にとって有利な、すなわち大量のメダルを獲得できるビッグボーナス（ＢＢ）やレギュラーボーナス（ＲＢ）が遊技者に対して遊技価値として付与されるようになっている。
【００６３】
尚、このように入賞することにより遊技者に対して付与される「遊技価値」は、メダル及びクレジット等の有価価値に限らず、上記のように大当たり入賞した場合において遊技者に対して付与されるＢＢやＲＢ等、遊技に関連する特典全てを含む。
【００６４】
本実施例では、各リール５１Ｌ（左リール）、リール５１Ｃ（中リール）、リール５１Ｒ（右リール）の周面に、「白７」、「ＢＡＲ」、「スイカ」、「ベル」、「チェリー」、「プラム」の図柄（図３参照）が各リールに２１個配列されており、通常遊技状態において「白７−白７−白７」、「ＢＡＲ−ＢＡＲ−ＢＡＲ」、「チェリー−Ａｎｙ−Ａｎｙ」、「スイカ−スイカ−スイカ」、「ベル−ベル−ベル」、または「プラム−プラム−プラム」の組合せが入賞の対象とされており、そのうち白７の図柄、及びＢＡＲの図柄のみが遊技者にとって利益の大きな賞である大当り入賞（ＢＢ、ＲＢ）の対象となる特別図柄とされ、その他スイカ、チェリー、ベルまたはプラムの図柄は遊技者にとって利益の小さな賞である小役入賞の対象となる小役図柄とされている。
【００６５】
通常遊技状態において、「チェリー−Ａｎｙ−Ａｎｙ」、「スイカ−スイカ−スイカ」、「ベル−ベル−ベル」、の組合せが有効化された１つの入賞ライン上に揃った場合には、その図柄の組合せに応じて予め定められた所定枚数のメダルが遊技者に付与される。
【００６６】
具体的には、左リール５１Ｌに描かれた「チェリー」の図柄は単図柄と呼ばれるマークであり、この単図柄が有効な１本の入賞ライン上で停止表示された場合には例えば２枚のメダルが遊技者に付与される。また、「スイカ−スイカ−スイカ」の組合せが有効化された１つの入賞ライン上に揃った場合には、例えば１２枚のメダルが付与される。また、「ベル−ベル−ベル」の組合せが有効化された１つの入賞ライン上に揃った場合には、９枚のメダルが付与される。
【００６７】
また、賭数に応じて有効化された入賞ラインが複数本存在する場合において、前述したようにメダルが払出される図柄の組合せが複数本の入賞ライン上において同時に成立した場合には、各入賞ライン上の図柄の組合せによって付与されるメダル枚数の合計枚数に相当するメダルが付与されるのが原則である。しかし、１ゲームにおいて遊技者に付与されるメダルの上限が１５枚と定められているために、１５枚を越える場合にはその１６枚目以降のメダルが無効となる。
【００６８】
また、「プラム−プラム−プラム」の組合せが有効化された１つの入賞ライン上に揃った場合には、当該ゲームと同一の賭数にて次回のゲームを実施可能なリプレイ（再遊技）ゲームが付与される。
【００６９】
また、通常遊技状態において有効化されたいずれかの入賞ライン上に「ＢＡＲ−ＢＡＲ−ＢＡＲ」の図柄が揃えば、ＲＢ入賞したことになり、「ＢＡＲ−ＢＡＲ−ＢＡＲ」の図柄が揃ったことの対価として１５枚のメダルが払出されるとともに、遊技者にとって有利なレギュラーボーナス（ＲＢ）が発生し、以下に説明するレギュラーボーナスゲーム（ＲＢゲーム）が遊技者に対して付与される。具体的に説明すると、このＲＢが発生した場合には、プラム図柄の揃目が揃うことにより１５枚のメダルが払出されるＪａｃ入賞が高確率で発生するＲＢゲームが最大で１２回提供されるとともに、このＲＢゲームが１２回実行されるか、あるいはＲＢゲームが１２回に達する前にＪａｃ入賞が８回発生するか、いずれかの条件が満たされた時点で終了する。したがって、遊技者は１２回のＲＢゲーム中に最大８回のＪａｃ入賞の機会を得ることができる。
【００７０】
また、通常遊技状態において、有効化された入賞ライン上に、「白７−白７−白７」が揃えば、ＢＢ入賞したことになり、「白７−白７−白７」の図柄が揃ったことの対価として１５枚のメダルが払出されるとともに、遊技者にとって有利な特別遊技状態としてのビッグボーナス（ＢＢ）が発生し、以下に説明する小役ゲームとＲＢが遊技者に対して付与される。
【００７１】
具体的に説明すると、このＢＢが発生した場合には、まず、遊技状態が通常遊技状態から小役ゲームに移行する。小役ゲームでは、対象となる小役図柄の組み合わせが揃って所定枚数のメダルの払出しを伴う入賞が比較的高確率で発生するＢＢゲームが最大で３０回提供される。
【００７２】
また、ＢＢゲームを３０回実行するまでの間にプラム図柄の揃目が揃ってＪａｃＩｎ入賞した場合には、所定枚数のメダルが付与されるとともに、レギュラーボーナス（ＲＢ）に移行して前述したＲＢゲームが最大で１２回提供され、このＲＢゲームが１２回実行されるか、或いはＲＢゲームが１２回に達する前にＪａｃ入賞が８回発生するか、いずれかの条件が満たされた時点で終了する。このＲＢは、ＢＢ中において移行可能な最大回数が規定されており、本実施例では最大で３回移行し得るように規定されている。
【００７３】
そしてＢＢは、小役ゲーム中に３０回のＢＢゲームを実行した場合か、或いは３０回のＢＢゲームを実行する前にＲＢへ３回移行し、３回目のＲＢが終了した場合のうち、いずれかの条件が満たされた時点で終了する。
【００７４】
以上、実施形態に係る遊技機としてのスロットマシン１の全体の概略構成及び遊技内容について説明してきたが、次には、スロットマシン１の構造について詳細に説明する。スロットマシン１は、前述したように筐体２と前面扉３とから構成されているので、以下それぞれに分けて説明する。
【００７５】
（２）筐体
筐体２は、前述したように、上部の天板１５０と、左側板１５１Ｌ及び右側板１５１Ｒと、下部の底板１５２と、背面の背板１５３と、によって直方体状に組み付けられ、その内部には、主に遊技制御基板ボックス３５０、リールユニット５０、ホッパーユニット５７、電源ユニット６５、オーバーフロータンク５９等が収容されている。
【００７６】
そこで、まず、筐体２の外形を構成する天板１５０、側板１５１Ｌ、１５１Ｒ、底板１５２、背板１５３について図６〜図１０を参照して説明する。図６はスロットマシン１を示す背面図であり、図７はスロットマシン１を示す右側面図（左側面図は右側面図と同一のため省略する）であり、図８（ａ）はスロットマシン１を示す平面図であり、（ｂ）はスロットマシン１を示す底面図であり、図９は筐体２と前面扉３との関わりを示す要部拡大平面図であり、図１０は一部の部材が組み付けられた状態の筐体２を示す正面図である。
【００７７】
（２−１）背板
背板１５３には、図６に示されるように、その上部に後述する遊技制御基板ボックス３５０を取り付けるための基板取付用開口１５４が開設されている。基板取付用開口１５４の長方形部の一方の短辺部の外側には膨出部１５４ａが形成されているとともに、各角部はＲ形状に加工されている。この基板取付用開口１５４は、背板１５３の前面側から取り付けられる遊技制御基板ボックス３５０を取り付けるための基板取付部材３５１（図１０参照）にて閉塞される。
【００７８】
基板取付用開口１５４の側方には、円形の外部接続配線通し穴１５７が開設されており、前記外部出力基板５０５からの配線を外部に引き出すことが出来るようになっており、引き出した配線は、例えば、遊技場の管理コンピュータに接続される。基板取付用開口１５４のやや下部には、溝状に形成される放熱穴１５５が水平方向に複数個形成されている。
【００７９】
放熱穴１５５のさらに下方には、自動循環補給装置接続開口１５６が形成されている。この自動循環補給装置接続開口１５６は、遊技場の設置台にメダルの自動循環補給装置が付設されている場合において、接続開口閉塞部材２１２（図１０参照）を取り外すことにより自動循環補給装置の補給ホース（図示略）を筐体２の内部に収容できるようになっており、補給ホースは、筐体２の内部に設けられるホッパーユニット５７のホッパータンク５７ａの上部に臨むようになっている。
【００８０】
また、背板１５３の下部には、前面扉３の軸支側に縦長矩形状の電源ユニット用放熱開口１５８が開設されており、その側方には、低音用のスピーカが取り付けられるスピーカ用開口１５９が開設されている。電源ユニット用放熱開口１５８は、電源ユニット６５から発生する熱を外部に放出するものであり、その下部側方に形成された膨出部１５８ａから電源ユニット６５に接続される電源線が外部に引き出される。スピーカ用開口１５９には、低音スピーカ１３７（図１１参照）が臨むように取り付けられ、そのスピーカ用開口１５９には、スピーカ保護網２１６（図１０参照）が背板１５３の外側からタッカー（ステプラー針の大型のもの）で止着される。
【００８１】
スピーカ用開口１５９のさらに側方には、円形のエンプティセンサ配線通し穴１６１が形成されている。このエンプティセンサ配線通し穴１６１は、自動循環補給装置が付設されている場合に、後述するホッパータンク５７ａに取り付けられるエンプティセンサ（図示略）からの配線を外部に引き出すためのものである。
【００８２】
（２−２）側板
左側板１５１Ｌ及び右側板１５１Ｒの上下方向中央部よりやや下方位置には、図７に示されるように、スロットマシン１を運搬する場合に指先を入れて持ち運ぶための運搬用凹部１５Ｌ、１５Ｒ（図１参照）を形成するための運搬用開口１６２Ｌ、１６２Ｒが形成されている。この運搬用開口１６２Ｌ、１６２Ｒには、後述する取手部材２１１Ｌ、２１１Ｒ（図４及び図１０参照）が筐体２の外側から嵌合されることにより閉塞されて運搬用凹部１５Ｌ、１５Ｒが形成されることになる。また、この運搬用開口１６２Ｌ、１６２Ｒの外面側の周縁部には、取手部材２１１Ｌ、２１１Ｒのフランジ部を収容する収容溝１６３Ｌ、１６３Ｒが環状に凹設されている。
【００８３】
また、左側板１５１Ｌ及び右側板１５１Ｒの前端面は、下端部から上端部に向かって後方に傾斜する傾斜面状に形成されており、前面扉３の後面も同じ方向に傾斜する傾斜面状に形成されている。これらの傾斜角度は、図７に示されるように、鉛直方向を向く基準線Ｐに対して約５．５度上端部側が後方に傾いており、これは、左側板１５１Ｌ及び右側板１５１Ｒの前端面を鉛直方向に向けて形成した場合よりも、前面扉３により筐体２の前面開口を閉塞した際において前面扉３の荷重が左側板１５１Ｌ及び右側板１５１Ｒの前端面にかかりやすくなり、前面扉３の閉塞時において前面扉３と筐体２との間に隙間が形成されにくくなるためであり、これにより両者の間に形成される隙間から針金等を挿入すること等による不正行為が防止される。
【００８４】
なお、前面扉３に組み付けられる上部パネル５及び下部パネル７は、鉛直方向を向く基準線Ｐとほぼ平行をなすように、すなわち、ほぼ鉛直方向を向くように組み付けられているとともに、遊技パネル６は、鉛直方向を向く基準線Ｐに対して約１０度上端部側が後方に傾くように組み付けられている。これら角度は、スロットマシン１は設置時において遊技者の目線が遊技パネル６のやや上部付近にくることを前提として設計されている。すなわち、特に遊技者が最も注目する可変表示部を透視可能な透視窓１４（図１、図３参照）が形成された遊技パネル６に関しては、遊技者からの視認性を最も考慮して前記約１０度の傾斜角度をつけて組み付けられており、また、上部パネル５及び下部パネル７に関しては、遊技者はもちろん、遠方からの表示内容の視認性を考慮して傾斜をつけずに組み付けられている。
【００８５】
また、図８及び図９に示されるように、左側板１５１Ｌの前端面には、前面扉３が回動する際において前面扉３における回動軸側端部と干渉するのを回避するための円弧状の切欠凹部１６６が上下方向にわたって凹設されている。この切欠凹部１６６は、左側板１５１Ｌの前端面における外端部から筐体２の内側に向かって凹むように設けられている。
【００８６】
（２−３）天板及び底板
天板１５０の前端面１５０ａにおける左側板１５１Ｌ側の端部には、図８（ａ）、（ｂ）に示されるように、前面扉３が回動する際にその端部が干渉するのを回避するための円弧状の切欠凹部１６７が外向きに凹設されている。切欠凹部１６７の曲率は、左側板１５１Ｌの前端面に形成された切欠凹部１６６と同一とされているため、前記切欠凹部１６６の内面上部と切欠凹部１６７の内面とで連続する円弧状の凹面が形成されるようになっている。
【００８７】
また、底板１５２の前端面１５２ａにおける左側板１５１Ｌ側の端部には、前記切欠凹部１６６の内面上部と切欠凹部１６７の内面とにより連続的に形成される円弧状の凹面と同形をなす切欠凹部１６８が形成されており、この切欠凹部１６８における左側板１５１Ｌ側端部内面は、前記切欠凹部１６６の内面に連続するようになっている。
【００８８】
このように筐体２側に切欠凹部１６６及び切欠凹部１６７、１６８が形成されていることで、図９（ａ）、（ｂ）に示されるように、前面扉３を開閉する際において、前面扉３の回動軸側端部と天板１５０、側板１５１Ｌ、１５１Ｒ、底板１５２の前端面との干渉が回避される。よって、例えば前面扉３を筐体２に回動自在に枢支するために特殊な蝶番（例えば多関節蝶番）等を用いる必要がなく、コストを低減できるとともに、切欠凹部１６６は左側板１５１Ｌの前端面における外端部から筐体２の内側に向かって凹むように設けられているため、図９（ａ）に示されるように前面扉３を閉塞した状態において左側板１５１Ｌの前端面と前面扉３の後端面との間に隙間が生じることがないので、外部からの不正行為が効果的に防止される。
【００８９】
また、天板１５０は、その後部側に左右方向を向く溝状の上部放熱穴１６４が左右に４つずつ形成されている。このように上部放熱穴１６４を細長溝状として複数設けることで、放熱効果を低減することなく、かつ、外部からの不正行為を極力行いにくくすることが出来る。また、天板１５０と対向する底板１５２には、スロットマシン１を遊技場の設置島に設置した際に当該設置島にメダルの自動循環補給装置が付設されている場合に、スロットマシン１内でオーバーフローしたメダルを回収樋へ排出するためのメダル回収開口１６５が開設されている。
【００９０】
なお、図８（ｂ）中に示される符号２７０は、メダル受皿１０を前面扉３に取り付けるためのネジ（図示略）が螺入されるメダル受皿取付用ネジ穴であり、２７１は、メダル受皿１０の上面に設けられる補強用鉄板をメダル受皿１０に取り付けるためのネジ（図示略）が螺入される補強用鉄板取付用ネジ穴である。
【００９１】
上記した天板１５０、左側板１５１Ｌ、右側板１５１Ｒ、底板１５２、及び背板１５３の組付けは、図１、図２及び図６〜図１０に示されるように、天板１５０を左右側板１５１Ｌ、１５１Ｒの内側に入れて挟持し、左右側板１５１Ｌ、１５１Ｒの底面を底板１５２の上面に当接するように載置するとともに、これら天板１５０、左右側板１５１Ｌ、１５１Ｒ、底板１５２の後端面を背板１５３の前面に当接し、それぞれの当接面を接着剤で接着し、且つ各板間に跨るようにタッカーを打ち付けて前面が開放したほぼ直方体を構成している。ただし、これだけでは強度的に弱いので、図１０に示されるように、金属性の上部枠板１７０、左側部枠板１７１、右側部枠板１７２、底部枠板１７３で相互の板を連結固定している。
【００９２】
これら上部枠板１７０、左側部枠板１７１、右側部枠板１７２、底部枠板１７３は互いに連結されているので、いずれかの箇所で静電気が発生しても特にアースをしなくても全体的に自然放電することができ、遊技制御基板５００への悪影響を防止することができる。
【００９３】
なお、左側部枠板１７１には、前面扉３を回動自在に枢支する枢軸１８４Ｈ、１８４Ｌが上下所定箇所にそれぞれ設けられており、右側部枠板１７２には、前面扉３側に設けられる右側部錠板金の係合片（図示略）と係合する係合突片１８５Ｈ、１８５Ｌが上下所定箇所に設けられているとともに、前面扉３を閉じた際において、前記右側部錠板金に設けられるガイドローラ（図示略）が乗り上げて前面扉３を下方から支持する支持片として機能する載置片１８６が設けられている。また、底部枠板１７３には、ホッパーユニット５７がスライド係合するホッパーユニット係合レール２０１ａ、２０１ｂが設けられている。
【００９４】
また、図１０に示されるように、背板１５３の前面には、リールユニット５０を取り付けるためのリールユニット取付片１７４及びリールユニット係止片１７５、オーバーフロータンク５９内部のメダル量を検出するフルセンサ６０ａ、６０ｂ、電源ユニット６５の上部を押さえる電源ユニット押さえ金具２１０が取り付けられる。
【００９５】
（３）前面扉
前面扉３は、図１３に示されるように、合成樹脂によって一体成形される前面枠７００から構成され、該前面枠７００の前面側には、上部パネル５を有する上部パネルカバー体５６０、各種操作部が装着される操作部カバー体５６１、下部パネル７を有する下部パネル装飾枠５５１、メダル受皿１０、ＬＥＤカバー体５５０Ｌ、５５０Ｒ等が主に取り付けられる。以下、前面扉３を構成する部材について図面を参照して説明する。
【００９６】
前面枠７００の構成について、主に図１１〜図１３を参照して説明する。図１１は前面枠７００を示す正面図であり、図１２は前面枠７００を斜め前方から見た斜視図であり、図１３は前面扉３を構成する部材と前面枠７００との関係を示す斜視図である。まず、前面枠７００の前面側の構成について、主として図１１及び図１２を参照して説明する。
【００９７】
（３−１）前面枠
前面枠７００は、合成樹脂によって一体的に成形されているものであり、その中央よりやや上部には、大型の遊技パネル開口７０１が開設されている。遊技パネル開口７０１の上部には、演出用ユニット９０の演出用リール９１Ｌ、９１Ｃ、９１Ｒを前方に臨ませるための演出用ユニット開口７０２と、高音スピーカ１３６Ｌ、１３６Ｒが挿通されるスピーカ用開口７０３Ｌ、７０３Ｒと、が開設されている。遊技パネル開口７０１下部には、ストップボタン４０Ｌ、４０Ｃ、４０Ｒが挿通されるストップボタン開口７０４と、メダル詰まり解除ボタン３５が挿通されるメダル詰まり解除ボタン開口７０５と、前記施錠装置４のシリンダ錠（図示略）が挿通されるシリンダ錠開口７０６が開設されている。
【００９８】
演出用ユニット開口７０２の上部には、前方に上部パネルカバー体５６０が装着される上部パネルカバー体装着部７４５が前方に隆起するように形成されており、この上部パネルカバー体装着部７４５には、遊技効果ＬＥＤ部４１に内蔵される複数の遊技効果ＬＥＤ１３０が搭載された上部ＬＥＤ基板５４４（図１３参照）を止着するためのネジ７０７（図１３参照）が螺入されるネジ穴を有するＬＥＤ基板固定用ボス７０８が所定間隔おきに３個形成されているとともに、その下方には、上部ＬＥＤ基板５４４のＬＥＤ基板位置決め用ボス７０９が２個突設されている。また、図中向かって右側と中央のＬＥＤ基板固定用ボス７０８の間には、上部ＬＥＤ基板５４４と、その後面側に設けられるドアベース中継基板５０６（図５参照）と、を接続するケーブルを挿通するためのケーブル挿通用開口７１０が形成されている。
【００９９】
演出用ユニット開口７０２の周囲には、その前方に装着される上部パネルカバー体５６０の後面との間に隙間が形成されないように閉塞するための隙間閉塞用突片７１１ａ〜７１１ｄが、高音スピーカ用開口７０３Ｌ、７０３Ｒの領域を除いて、演出用ユニット開口７０２の周囲を囲むように略長方形状に形成されている。これら隙間閉塞用突片７１１ａ〜７１１ｄのうち、隙間閉塞用突片７１１ａは、その前方に装着された上部パネルカバー体５６０の後面に形成されたリブ（図示略）の後端面と当接されるとともに、隙間閉塞用突片７１１ｂ〜７１１ｄは上部パネル５の後面における端縁部に当接されて、上部パネルカバー体５６０の後面との間を閉塞するようになっている。
【０１００】
演出用ユニット開口７０２それぞれの角部の外側には、上部パネルカバー体５６０から後向きに突設される係止爪（図示略）が挿入される係止爪挿入穴７１２が４個形成されている。下部左右側の係止爪挿入穴７１２の下方には、上部パネルカバー体５６０の後面から後向きに突設される位置決め用ボス（図示略）が内部に嵌合される嵌合穴を有する位置決め用ボス嵌合ボス７１３が形成されている。高音スピーカ用開口７０３Ｌ、７０３Ｒの周囲には、スピーカ１３６Ｌ、１３６Ｒを止着するためのネジ７１４ａ、７１４ｂが螺入されるネジ穴７１５ａ、７１５ｂが形成されている。
【０１０１】
遊技パネル開口７０１の上部側縁部には、上部パネルカバー体５６０の下端部から後向きに形成される係止爪（図示略）が係止される係止用突片７１６ａ〜７１６ｄが前向きに突設されている。係止用突片７１６ａと係止用突片７１６ｃとの間、及び係止用突片７１６ｂと係止用突片７１６ｄとの間には、装着された上部パネルカバー体５６０の後面に設けられる上部パネル５を係止する左右の係止爪（図示略）との干渉を回避するための係止爪逃げ部７１８ａ、７１８ｂが形成されている。
【０１０２】
遊技パネル開口７０１の左右側端縁部には、遊技パネル６の左右端縁部とその側方に装着されるＬＥＤカバー体５５０Ｌ、５５０Ｒとの間に形成される隙間を閉塞する隙間閉塞用突片７１７ａ、７１７ｂが前向きに突設されている。
【０１０３】
遊技パネル開口７０１の下方には、前方に操作部カバー体５６１及び下部パネル装飾枠５５１の上部が装着される操作部カバー体装着部７２０が、前記上部パネルカバー体装着部７４５よりも前方に膨出するように形成されており、該操作部カバー体装着部７２０には、前記ストップボタン開口７０４、メダル詰まり解除ボタン開口７０５、シリンダ錠開口７０６が形成されているとともに、操作部カバー体５６１を取り付けるためのネジ７２１が挿通される取付穴７１９が所定箇所に８個形成されている。操作部カバー体装着部７２０における正面から見て左側には、操作部カバー体５６１に設けられるスタートレバー３８や各種ボタン３６ａ、３６ｂ、３７との干渉を回避するための切欠部７２２が遊技パネル開口７０１に連通するように形成されている。
【０１０４】
操作部カバー体装着部７２０の上端は、後向きに屈曲する後向片７２３が形成されており、該後向片７２３の後端における正面から見て右側端部には、メダル投入部３４を構成する投入メダルガイド部材（図１参照）を装着するための切欠部７２４が形成されている。また、７２５は前面枠７００の後面に形成されるネジ穴形成用ボスである。
【０１０５】
操作部カバー体装着部７２０の下部には、下部パネル装飾枠５５１の上部から後向きに突設される係止爪（図示略）が挿入される係止爪挿入穴７２８が、左右及び中央に３個形成されている。また、正面から見て左側と中央の係止爪挿入穴７２８、７２８間には、操作部カバー体装着部７２０の下方に形成される蛍光灯装着部７２９に装着される蛍光灯１３９の一端側から延設されるコードを係止する上向き略Ｊ字状のコード係止フック７３０が形成されている。
【０１０６】
蛍光灯装着部７２９には、蛍光灯１３９の反射板２７５（図１３参照）を固定するためのネジ７３３が螺入されるネジ穴が形成された反射板固定用ボス７３１と、前記反射板２７５を位置決めするための位置決め用ボス７３２と、がそれぞれ２個ずつ前向きに突設されているとともに、蛍光灯１３９から延設されるコードを前面枠７００の後面側に挿通させるためのコード挿通穴７３４が正面から見て左側に形成されている。また、蛍光灯装着部７２９の下部には、前方に装着される前記下部パネル装飾枠５５１の下部に当接して内側への凹みを防止するための４個の当接規制ボス７３５が、左右方向に向けて所定間隔おきにそれぞれ前向きに突設されているとともに、下部パネル装飾枠５５１の下部から後向きに突設される係止爪（図示略）が挿入される係止爪挿入穴７３６が２個形成されている。左右の係止爪挿入穴７３６、７３６間には、後面側に取り付けられる前記メダル返却通路部材７３を位置決めするための位置決め用係止部（図示略）を後面側に向けて突設形成するための係止部形成用凹部７３７が形成されている。
【０１０７】
また、前面枠７００の後面に取り付けられる前記操作部中継基板５０７に対応する領域の上下部には、前記操作部中継基板５０７を被覆する操作部中継基板カバー（図示略）の上下部に形成された係止爪（図示略）が挿通される係止爪挿入穴７３８が形成されている。
【０１０８】
なお、蛍光灯装着部７２９は、段部を介して操作部カバー体装着部７２０より後側に凹むように形成されているとともに、その左右端縁部及び下端縁部には、蛍光灯１３９からの光の外方への拡散を防止するための遮光片７３９、７４０がそれぞれ前向きに突設されている。
【０１０９】
蛍光灯装着部７２９のさらに下方には、遮光片７４０を挟んでメダル受皿装着部７４１が形成されている。メダル受皿装着部７４１の略中央部には、メダル払出開口７４２が形成されているとともに、その側方には、後面側にスピーカ（図示略）が取り付けられた場合において、該スピーカから出力される音を前方に向けて放音するための楕円形状の放音開口７４３が形成されている。正面から見て左側には、メダル受皿１０から後向きに突設された位置決め用ボス（図示略）が嵌合されるとともに、メダル受皿１０を止着するネジ７５５ｃが取付けられる取付穴７４４ａを有するボス嵌合穴７４４が前向きに突設されている。
【０１１０】
メダル受皿装着部７４１の下方及び左右側方位置には、メダル受皿１０を取り付けるためのネジ７５５ａが挿通される取付穴７５６ａが左右に２個、ネジ７５５ｂが挿通される取付穴７５５ｂが挿通される取付穴７５６ｂが３個形成されている。下方の左右の角部近傍には、メダル受皿装着部７４１の前方に保護板２７２を取り付けるためのネジ７５７が螺入されるネジ穴７５８が２個形成されているとともに、メダル装着部７４１の上部には、保護板２７２の上端に形成される係止片（図１３参照）が挿入される係止片挿入穴７５９が形成されている。また、取付穴７５６ｂ間には、メダル受皿１０に取り付けられるネジの頭部との干渉を回避するための孔部７６０が形成されている。
【０１１１】
上部パネルカバー体装着部７４５、遊技パネル開口７０１、操作部カバー体装着部７２０、蛍光灯装着部７２９、メダル受皿装着部７４１の左右端部と前面枠７００の左右端部との間には、前方にＬＥＤカバー体５５０Ｌ、５５０Ｒが装着されるＬＥＤカバー体装着部７６５Ｌ、７６５Ｒが上下方向に延びるように形成されている。
【０１１２】
ＬＥＤカバー体装着部７６５Ｌには、サイドＬＥＤ基板５４５ａ〜５４５ｃそれぞれの上下端部を固定するネジ７６６ａ〜７６６ｃが螺入されるネジ穴を有する固定用ボス７６８ａ〜７６８ｃと、サイドＬＥＤ基板５４５ａ〜５４５ｃそれぞれを位置決めするための位置決め用ボス７７０ａ〜７７０ｃと、がそれぞれ前向きに突設されている。また、ＬＥＤカバー体装着部７６５Ｒには、サイドＬＥＤ基板５４６ａ〜５４６ｃそれぞれの上下端部を固定するネジ７６７ａ〜７６７ｃが螺入されるネジ穴を有する固定用ボス７６９ａ〜７６９ｃと、サイドＬＥＤ基板５４６ａ〜５４６ｃそれぞれを位置決めするための位置決め用ボス７７１ａ〜７７１ｃと、がそれぞれ前向きに突設されている。
【０１１３】
位置決め用ボス７７０ａ、７７１ａの下方には、上部のサイドＬＥＤ基板５４５ａ、５４６ａから延設されるコードを係止するためのコード係止フック７７２ａ、７７３ａが形成されているとともに、下方の固定用ボス７６８ｂ、７６９ｂの上方には、中央及び下部のサイドＬＥＤ基板５４５ｂ、５４５ｃ、５４６ｂ、５４６ｃから延設されるコードをまとめて係止するためのコード係止フック７７２ｂ、７７３ｂが形成されている。これらコードは、上部パネルカバー体装着部７４５の下方の角部側方にそれぞれ形成されたコード挿通用穴７７４ａ、７７４ｂを介して前面枠７００の後面側に挿通される。
【０１１４】
ＬＥＤカバー体装着部７６５Ｌ、７６５Ｒにおける上部パネルカバー体装着部７４５の上部及び下部側方近傍位置と、メダル受皿装着部７４１の上部側方近傍位置と、には、ＬＥＤカバー体５５０Ｌ、５５０Ｒを固定するためのネジ７７９ａ、７７９ｂが取り付けられる取付穴７８０ａ、７８０ｂが左右３個ずつ形成されている。
【０１１５】
また、ＬＥＤカバー体装着部７６５Ｌ、７６５Ｒにおける外側端部には、装着されたＬＥＤカバー体５５０Ｌ、５５０Ｒの外面側を閉塞するようにガイドするガイド片７７７、７７８が上下方向にわたって前向きに突設されているとともに、ガイド片７７７、７７８の内側には、ＬＥＤカバー体５５０Ｌ、５５０Ｒから後向きに突設された係止爪（図示略）が挿入される係止爪挿入穴７７５、７７６が、ガイド片７７７、７７８に沿うように、上下方向に向けて所定間隔おきに６個ずつ形成されている。
【０１１６】
次に、操作部カバー体５６１の構造について、図１４〜図１８を参照して説明する。図１４は操作部カバー体５６１と該操作部カバー体５６１に装着される部材や部品との関係を示す分解斜視図であり、図１５は操作部カバー体５６１を斜め前方から見た斜視図であり、図１６（ａ）は操作部カバー体５６１を示す正面図であり、（ｂ）は操作部カバー体５６１を示す背面図であり、図１７（ａ）は３個のストップボタンが装着される場合に装着されるボタンカバー体を示す斜視図であり、（ｂ）は４個のストップボタンが装着される場合に装着されるボタンカバー体を示す斜視図であり、図１８はストップボタンユニットを示す分解斜視図である。
【０１１７】
（３−２）操作部カバー体
操作部カバー体５６１には、図１４に示されるように、ストップボタン４０Ｌ、４０Ｃ、４０Ｒを構成する停止操作ユニットとしてのストップボタンユニット４４０Ｌ、４４０Ｃ、４４０Ｒと、スタートレバー３８を構成するスタートレバーユニット４４１と、１枚ＢＥＴボタン３６ａを構成する１枚ＢＥＴボタンユニット４４２と、ＭＡＸＢＥＴボタン３６ｂを構成するＭＡＸＢＥＴボタンユニット４４３と、精算ボタン３７を構成する精算ボタンユニット４４４と、メダル詰まり解除ボタン３５と、操作部カバー体５６１の前面に装着されるメイン装飾カバー７９０、右サイド装飾カバー７９１、左サイド装飾カバー７９２と、操作部カバー体５６１の上面に貼着される装飾シート７９３と、が装着される。
【０１１８】
操作部カバー体５６１は、図１５及び図１６に示されるように、前方にメイン装飾カバー７９０が装着されるメイン装飾カバー装着部７９５と、右サイド装飾カバー装着部７９６、左サイド装飾カバー装着部７９７とがそれぞれ凹設されている。メイン装飾カバー装着部７９５の略中央部には、ストップボタンユニット４４０Ｌ、４４０Ｃ、４４０Ｒをそれぞれ装着するための停止操作ユニット装着部としてのストップボタン挿入穴７９８、７９９、８００がそれぞれ形成されている。操作部カバー体５６１の後面におけるストップボタン挿入穴７９８、７９９、８００周りには、ストップボタンユニット４４０Ｌ、４４０Ｃ、４４０Ｒを水平状態に保持するための筒状片８０１、８０２、８０３がそれぞれ後向きに突設されている。
【０１１９】
ストップボタン挿入穴７９８、７９９、８００は、それぞれ横並び状態で個別に形成されている。左右のストップボタン挿入穴７９８、７９９（側端装着部）は、それぞれ１個のストップボタンユニット４４０Ｌ、４４０Ｒが挿入可能なように正面から見て略円形に形成されており、筒状片８０１、８０２の内周面上下部には、特に図１６に示されるように、装着されるストップボタンユニット４４０Ｌ、４４０Ｒの回り止めとして機能する平面部８３５ａ、８３６ａがそれぞれ対向配置されているとともに、内周面の左右側部には、平面部８３５ａ、８３６ａよりも幅寸法が若干広い平面部８３５ｂ、８３６ｂがそれぞれ対向配置されている。
【０１２０】
ストップボタン挿入穴８００（中央装着部）は、ストップボタン挿入穴７９８、７９９と同様に構成される３つの穴を互いに重合させた横長形状とされている。具体的には、筒状片８０３の内周面の上下部には、ストップボタンユニット４４０Ｃの回り止めとして機能する平面部８３７ａ〜８３７ｃが、それぞれ横並びに３個ずつ、かつ、上下それぞれに対向配置されているとともに、内周面の左右側部には、平面部８３７ａ〜８３７ｃよりも幅寸法が若干広い平面部８３７ｄがそれぞれ対向配置されている。
【０１２１】
上下の平面部８３７ａ、８３７ｂ間、及び上下の平面部８３７ｂ、８３７ｃ間には、内向きに突出する区画ガイド部８３８ａ、８３８ｂがそれぞれ上下に形成されている。よってこのストップボタン挿入穴８００内は、正面から見て区画ガイド部８３８ａよりも左側の左装着部（図中「２」）と、区画ガイド部８３８ａ、８３８ｂ間の中装着部（図中「３」）と、区画ガイド部８３８ｂよりも右側の右装着部（図中「４」）と、から構成されている。
【０１２２】
すなわち、本実施例のように３個のストップボタンユニット４４０Ｌ、４４０Ｃ、４４０Ｒを装着する際には、ストップボタンユニット４４０Ｌを左側のストップボタン挿入穴７９８内に、また、ストップボタンユニット４４０Ｒを右側のストップボタン挿入穴７９９内に、また、ストップボタンユニット４４０Ｃをストップボタン挿入穴８００内における中装着部（図中「３」）に装着すれば、３個のストップボタンユニット４４０Ｌ、４４０Ｃ、４４０Ｒを互いに等間隔おきに横並び状態に並設（図中「１」「３」「５」）することが出来る。
【０１２３】
また、例えば４個のストップボタンユニット（図示略）を装着する際には、ストップボタンユニットを左右側のストップボタン挿入穴７９８、７９９内にそれぞれ１個ずつ装着するとともに、２個のストップボタンユニットを、中央装着部としてのストップボタン挿入穴８００内における左右装着部（図中「２」「４」）に装着すれば、４個のストップボタンユニットを互いに等間隔おきに横並び状態に並設（図中「１」「２」「４」「５」）することが出来る。
【０１２４】
このように中央のストップボタン挿入穴８００は、予め中装着部に１個、または左右装着部で２個のストップボタンユニットを装着可能に形成されているため、例えば機種変更等に応じて、左、中、右の可変表示部５２Ｌ、５２Ｃ、５２Ｒを形成する遊技用のリール５１Ｌ、５１Ｃ、５１Ｒの配置数を３個から４個に変更し、かつ、増設するリールの回動を停止操作するストップボタンも増設する場合等において、可変表示部の数の増加に対応してストップボタンユニットの配置数を３個から４個に変更するために、操作部カバー体５６１、引いては前面枠７００等に加工を施したり、または前面枠７００を新規なものに交換して装着部を新たに形成することなく、ストップボタンユニットの配置数変更に容易に対応することが出来る。
【０１２５】
また、配置数の変更の際において、左右側のストップボタン挿入穴７９８、７９９のストップボタンユニット４４０Ｌ、４４０Ｒは配置変更されることなく、中央のストップボタン挿入穴８００のストップボタンユニット４４０Ｃの配置位置及び配置数が変更することになるので、ストップボタン４０Ｌ、４０Ｃ、４０Ｒ全体の配置位置が右側や左側に偏って（例えば図中「１」「２」「４」や「２」「４」「５」）配置されて操作位置が大きく変わったり、配置される各ストップボタン同士の間隔がばらけることなく、常に均等間隔おきに配置することが出来るため、遊技者による操作や外観体裁に違和感を与えることがない。
【０１２６】
詳しくは、これらストップボタンユニット４４０Ｌ、４４０Ｃ、４４０Ｒを配設するための停止操作ユニット装着部は、配置方向の両端にそれぞれ配置されるストップボタンユニット４４０Ｌ、４４０Ｒを装着するための側端装着部としてのストップボタン挿入穴７９８、７９９と、該ストップボタン挿入穴７９８、７９９間に配置されるストップボタンユニットを装着するための中央装着部としてのストップボタン挿入穴８００と、から構成され、このストップボタン挿入穴８００は、複数のストップボタンユニットの装着部（左、中、右装着部）が連続する単一の装着部として長穴状に形成されているため、中央のストップボタン挿入穴８００と左右のストップボタン挿入穴７９８、７９９とで外観上の違いが生じ、両端のストップボタンの配置位置が固定されていることが明確となるため、配置変更の際におけるストップボタンユニットの配置位置の間違いが生じるのが効果的に防止される。
【０１２７】
また、左右側のストップボタン挿入穴８００は、奇数個（ここでは１個）のストップボタンユニットを配置する場合と、偶数個（ここでは２個）のストップボタンユニットを配置する場合とで、それぞれ配置位置が異なるような形状にて形成されているため、配置数が変更されても隣接するストップボタン同士を均等間隔おきに配置することが出来る。
【０１２８】
ストップボタン挿入穴７９８、７９９、８００の上下部には、操作部カバー体５６１を前面枠７００に係止するために、後面から後向きに４個突設された上向きの係止爪８０４ａ及び下向きの係止爪８０４ｂを形成するための係止爪形成用穴８０５が形成されている。
【０１２９】
正面から見てストップボタン挿入穴７９８の左側方には、スタートレバーユニット４４１が挿入されるスタートレバー挿入穴８０６が形成されている。精算ボタン挿入穴８０６周りには、スタートレバーユニット４４１を水平状態に保持するための筒状片８０７が前後面からそれぞれ外方に向けて突出するように形成されており、該筒状片８０７の前端部内面所定箇所には、スタートレバーユニット４４１の装着位置を決定する位置決め用凹部８０８が凹設されている。
【０１３０】
スタートレバー挿入穴８０６のさらに左側方には、メイン装飾カバー７９０から後向きに突設される係止爪８３１ａ、８３１ｂ（図１７参照）が挿入される係止爪挿入穴８０９ａ、８０９ｂが形成されている。また、正面から見てストップボタン挿入穴７９９の右側方には、メダル詰まり解除ボタン３５が挿入される解除ボタン挿入穴８１０が形成されているとともに、さらにその右側方には、メイン装飾カバー７９０から後向きに突設される係止爪８３１ｃ（図１７参照）が挿入される係止爪挿入穴８０９ｃが形成されている。解除ボタン挿入穴８１０周りには、メダル詰まり解除ボタン３５を水平状態に保持するための筒状片８１１が後向きに突設されている。
【０１３１】
右サイド装飾カバー装着部７９６には、前記施錠装置４のシリンダ錠（図示略）が挿通されるシリンダ錠挿通穴８１２が形成されているとともに、右サイド装飾カバー７９１から後向きに突設される上向きの係止爪８３３ａ（図１４参照）が挿入される係止爪挿入穴８１３ａ及び下向きの係止爪８３３ｂ（図１４参照）が挿入される係止爪挿入穴８１３ｂが上下に２個ずつ形成されている。
【０１３２】
左サイド装飾カバー装着部７９６には、スロットマシン１の側方に並設して使用される図示しないカードユニットに接続されるメダル貸しボタン及びカード返却ボタンを取り付けるためのボタン取付部８１４ａ、８１４ｂが形成されているとともに、左サイド装飾カバー７９２から後向きに突設される上向きの係止爪８３４ａ（図１４参照）が挿入される係止爪挿入穴８１５ａ及び下向きの係止爪８３４ｂ（図１４参照）が挿入される係止爪挿入穴８１５ｂが上下に２個ずつ形成されている。
【０１３３】
操作部カバー体５６１の上端部は後向きに屈曲して後向片８２０が連設されており、該後向片８２０の正面から見て左側には、１枚ＢＥＴボタン挿入穴８２１、ＭＡＸＢＥＴボタン挿入穴８２２、精算ボタン挿入穴８２３がそれぞれ形成されている。これら略円形状の挿入穴８２１、８２２、８２３には、図１５に示されるように、各ボタンユニットの回り止めとして機能する直線部８２１ａ、８２２ａ、８２３ａがそれぞれ対向配置されているとともに、周縁後部には位置決め用凹部８２１ｂ、８２２ｂ、８２３ｂがそれぞれ形成されている。また、後向片８２０の正面から見て右側後端部には、投入メダルガイド部材（図１参照）取付用の切欠部８２４が形成されている。また、後向片８２０の上面には、前記装飾シート７９３が貼着される装飾シート貼着部８２５が凹設されている。
【０１３４】
操作部カバー体５６１の後面には、図１６（ｂ）に示されるように、８個の固定用ボス８２６が後向きに突設されており、この固定用ボス８２６の先端に、前面枠７００の後面側から取付穴７１９に挿通されたネジ７２１が止着されることで、前面枠７００の操作部カバー体装着部７２０の前方に操作部カバー体５６１が固定されるようになっている。
【０１３５】
（３−３）メイン装飾カバー
装飾部材としてのメイン装飾カバー７９０は、透明な合成樹脂材にて構成され、特に図１７に示されるように、各ストップボタンユニット４４０Ｌ、４４０Ｃ、４４０Ｒに対応する位置に、挿通穴としてのストップボタン挿入穴８２７Ｌ、８２７Ｃ、８２７Ｒが形成されている。各ストップボタン挿入穴８２７Ｌ、８２７Ｃ、８２７Ｒの前端周縁部には、ストップボタンユニット４４０Ｌ、４４０Ｃ、４４０Ｒのフランジ部８６８（図１８参照）が収容される収容凹溝８３９が環状に形成されているとともに、この収容凹溝８３９の底部右側には、ストップボタンユニット４４０Ｌ、４４０Ｃ、４４０Ｒの位置決め用の位置決め用凹部８２８ａ、８２８ｂ、８２８ｃが形成されている。
【０１３６】
正面から見てストップボタン挿入穴８２７Ｌの左側方には、スタートレバー３８を前方に臨ませるための円弧状の切欠部８２９が形成されているとともに、ストップボタン挿入穴８２７Ｒの右側方には、メダル詰まり解除ボタン３５を前方に臨ませるための解除ボタン挿通穴８３０が形成されている。
【０１３７】
正面から見てメイン装飾カバー７９０の左側端部近傍には、係止爪挿入穴８０９ａに挿入される上向きの係止爪８３１ａと、係止爪挿入穴８０９ｂに挿入される下向きの係止爪８３１ｂと、が後向きに突設されているとともに、正面から見てメイン装飾カバー７９０の右側端部には、係止爪挿入穴８０９ｃに挿入される外向き（右向き）の係止爪８３１ｃが後向きに突設されている。
【０１３８】
後面には、図１７中１点鎖線で囲まれる拡大図に示されるように、ストップボタン挿入穴８００における特にストップボタンユニット４４０Ｃが装着されていない部分を視認不能に隠蔽するための隠蔽部としてのローレット加工が施されており、これによりメイン装飾カバー装着部７９５に形成されたストップボタン挿入穴７９８〜８００や、係止爪形成用穴８０５、係止爪挿入穴８０９ａ〜８０９ｃ等をメイン装飾カバー７９０を透して前方から視認しにくくなるため、操作部カバー体５６１の前面の外観体裁が著しく損なわれるのが防止される。
【０１３９】
なお、本実施例ではメイン装飾カバー７９０が透明な合成樹脂にて構成され、内面にローレット加工が施されることで隠蔽部としての凹凸状部が形成されていたが、後方のストップボタン挿入穴８００を透視不能とする隠蔽する隠蔽部は、前記ローレット加工による凹凸状部に限定されるものではなく、サンドブラスト加工による凹凸状部であったり、あるいは不透明な着色材を含有または塗布させること等によって構成してもよい。
【０１４０】
このように構成されたメイン装飾カバー７９０は、最初に係止爪８３１ｃを係止爪挿入穴８０９ｃに挿入した後、他端側の係止爪８３１ａ、８３１ｂを係止爪挿入穴８０９ａ、８０９ｂに挿入する。これにより各係止爪挿入穴８０９ａ〜８０９ｃに挿入された係止爪８３１ａ〜８３１ｃが各係止爪挿入穴８０９ａ〜８０９ｃの周縁部に係止されて、メイン装飾カバー装着部７９５の前方に係止されることになる。
【０１４１】
そして、係止されたメイン装飾カバー７９０の前方からストップボタンユニット４４０Ｌ、４４０Ｃ、４４０Ｒが前方から挿入されてストップボタン挿入穴７９８〜８００に装着されることで、ストップボタンユニット４４０Ｌ、４４０Ｃ、４４０Ｒのフランジ部８６８が収容凹溝８３９内に収容されるとともに、位置決め用凸部８６９（図１８参照）が位置決め用凹部８２８ａ〜８２８ｃ内に嵌合されることで、メイン装飾カバー７９０の中央部のメイン装飾カバー装着部７９５からの浮き上がりが防止されることになる。
【０１４２】
このようにメイン装飾カバー７９０は、係止爪８３１ａ〜８３１ｃの係脱作用により操作部カバー体５６１に着脱自在に構成されているため、前述したようにストップボタンユニット４４０Ｌ、４４０Ｃ、４４０Ｒの配置数を３個から例えば４個に変更する場合等において、図１７（ｂ）に示されるように、４個のストップボタン挿入穴８４０ａ〜８４０ｄが形成されたメイン装飾カバー８４２に容易に交換することが出来る。
【０１４３】
よって、操作部カバー体５６１には、可変表示部の配置数の変更に伴ってストップボタンユニットの配置数を変更可能なストップボタン挿入穴７９８〜８００が予め形成されているとともに、これらストップボタン挿入穴７９８〜８００の前方を被覆するように装飾する装飾部材としてのメイン装飾カバー７９０、８４２が操作部カバー体５６１に対して交換可能に設けられるため、可変表示部の数の変更に伴うストップボタンユニットの配置数の変更を、スロットマシン１の本体を構成する操作部カバー体７９０や前面枠７００等に加工を施したり、あるいはこれらを新規なものに交換することなく、かつ、外観体裁を損なうことなく容易に行うことが出来る。
【０１４４】
詳しくは、メイン装飾カバー７９０またはメイン装飾カバー８４２によりストップボタン挿入穴７９８〜８００の前方が被覆するように装飾されるので、ストップボタン挿入穴７９８〜８００が外部に露呈して外観が損なわれたり、不正行為やいたずら等がなされるのを効果的に回避出来るばかりか、ストップボタンの配置数を変更する場合には、配置されるストップボタンユニットに対応する箇所に挿入穴８２７Ｌ、８２７Ｃ、８２７Ｒ／８４０ａ〜８４０ｄ（挿通穴）が形成されたメイン装飾カバー７９０またはメイン装飾カバー８４２に交換するだけで、特にストップボタン挿入穴８００におけるストップボタンユニットが装着されていない装着部（穴）が外部に露呈することがないため、ストップボタンユニットの配置数の変更に容易に対応することが出来る。
【０１４５】
なお、本実施例においては、予め最大４個のストップボタンユニットを配置可能なストップボタン挿入穴７９８〜８００に３個のストップボタンユニット４４０Ｌ、４４０Ｃ、４４０Ｒが配置されている状態から、ストップボタンユニットの配置数を３個から４個に増加する場合を一例として説明したが、言うまでもなく予め４個配置されていたストップボタンユニットを３個に配置数変更させることも可能である。
【０１４６】
また、本実施例のストップボタン挿入穴７９８〜８００は最大で４個配置可能に形成されていたが、配置数はこれに限定されるものではなく、予め配置数の変更が自在に構成されていれば、その数量は種々に変更可能である。
【０１４７】
（３−４）右サイド装飾カバー
右サイド装飾カバー７９１は、透明な合成樹脂材にて略三角形状に構成され、特に図１４に示されるように、シリンダ錠挿通穴８１２に対応する位置にはシリンダ錠挿入穴８３２が形成されている。上端辺部には係止爪挿入穴８１３ａに挿入される上向きの係止爪８３３ａが、また、下端辺部には係止爪挿入穴８１３ｂに挿入される下向きの係止爪８３３ｂがそれぞれ２個ずつ後向きに突設されている。
【０１４８】
後面には、特に図示はしないが、隠蔽部を構成するためのローレット加工が施されており、これにより右サイド装飾カバー装着部７９６に形成された係止爪挿入穴８１３ａ、８１３ｂ等を、右サイド装飾カバー７９１を透して前方から視認しにくくなるため、操作部カバー体５６１の前面の外観体裁が著しく損なわれるのが防止される。
【０１４９】
このように構成された右サイド装飾カバー７９１は、係止爪８３３ａを係止爪挿入穴８１３ａに、また、係止爪８３３ｂを係止爪挿入穴８１３ｂに挿入することにより、各係止爪挿入穴８１３ａ、８１３ｂに挿入された係止爪８３３ａ、８３３ｂが各係止爪挿入穴８１３ａ、８１３ｂの周縁部に係止されて、右サイド装飾カバー装着部７９６の前方に装着されることになる。
【０１５０】
（３−５）左サイド装飾カバー
左サイド装飾カバー７９２は、透明な合成樹脂材にて略三角形状に構成され、特に図１４に示されるように、上端辺部には係止爪挿入穴８１５ａに挿入される上向きの係止爪８３４ａが、また、下端辺部には係止爪挿入穴８１５ｂに挿入される下向きの係止爪８３４ｂがそれぞれ２個ずつ後向きに突設されている。
【０１５１】
後面には、特に図示はしないが、隠蔽部を構成するためのローレット加工が施されており、これにより左サイド装飾カバー装着部７９７に形成されたボタン取付部８１４ａ、８１４ｂや係止爪挿入穴８１５ａ、８１５ｂ等を、左サイド装飾カバー７９２を透して前方から視認しにくくなるため、操作部カバー体５６１の前面の外観体裁が著しく損なわれるのが防止される。
【０１５２】
このように構成された左サイド装飾カバー７９２は、係止爪８３４ａを係止爪挿入穴８１５ａに、また、係止爪８３４ｂを係止爪挿入穴８１５ｂに挿入することにより、各係止爪挿入穴８１５ａ、８１５ｂに挿入された係止爪８３４ａ、８３４ｂが各係止爪挿入穴８１５ａ、８１５ｂの周縁部に係止されて、左サイド装飾カバー装着部７９７の前方に装着されることになる。
【０１５３】
（３−６）装飾シート
装飾シート７９３は、図１４に示されるように、前記後向片８２０の上面に凹設された装飾シート貼着部８２５上面に貼着するための接着剤が予め下面に塗布されているとともに、後向片８２０に形成された１枚ＢＥＴボタン挿入穴８２１、ＭＡＸＢＥＴボタン挿入穴８２２、精算ボタン挿入穴８２３、切欠部８２４それぞれに対応する箇所には、１枚ＢＥＴボタン挿入穴８２１’、ＭＡＸＢＥＴボタン挿入穴８２２’、精算ボタン挿入穴８２３’、切欠部８２４’がそれぞれ形成されている。
【０１５４】
（３−７）ストップボタンユニット
ストップボタン４０Ｌ、４０Ｃ、４０Ｒを形成するストップボタンユニット４４０Ｌ、４４０Ｃ、４４０Ｒの構成を、図１８に基づいて簡単に説明する。なお、３個のストップボタンユニット４４０Ｌ、４４０Ｃ、４４０Ｒは全て同一に構成されているため、図１８においては左側のストップボタンユニット４４０Ｌを図示して説明することで、他のストップボタンユニット４４０Ｃ、４４０Ｒの説明は省略することとする。また、図中右側がスロットマシン１への装着時における前側であるものとして説明する。
【０１５５】
ストップボタンユニット４４０Ｌは、本体部を構成する筒状体８６０と、筒状体８６０内部に軸心方向に摺動自在に嵌挿される操作ボタン８６１と、操作ボタン８６１を前方に向けて付勢するコイルバネ８６２と、筒状体８６０における操作ボタン８６１の反対側の開口に装着される取付基板８６３と、から主に構成されている。
【０１５６】
筒状体８６０の外周面には、軸心方向に延びる帯状の平面部８６４ａ、８６４ｂがそれぞれ対向位置されている（反対側の平面部８６４ａ、８６４ｂは図示されていない）。互いに対向する２つの平面部８６４ａの後端には、ストップボタン挿入穴７９８〜８００の開口後端縁部に係止される外向きの係止爪８６５が、切欠溝を介して弾性変形自在に形成されているとともに、それぞれの平面部８６４ａにおける係止爪８６５の前方位置には、操作ボタン８６１を係止するための係止穴８６６がそれぞれ形成されている。また、互いに対向する２つの平面部８６４ｂの後端には、取付け基板８６３を係止するための内向きの係止爪８６７が、切欠溝を介して弾性変形自在に形成されている。
【０１５７】
筒状体８６０の前端縁部には、ストップボタン挿入穴８２７Ｌ、８２７Ｃ、８２７Ｒの前端縁部に係止される外向きのフランジ部８６８が環状に形成されるとともに、このフランジ部８６８の後面における一方の平面部８６４ｂ側（図中手前側）には、位置決め用凹部８２８ａに嵌合する位置決め用凸部８６９が突設されている。
【０１５８】
操作ボタン８６１は、筒状のボタン本体８７０と、ボタン本体８７０の前端開口を閉塞するように装着される蓋部材８７１と、から構成される。蓋部材８７１の前面８７１ａは遊技者により押圧される操作部を構成しており、その前面は取付基板８６３に取り付けられる前記操作有効ＬＥＤ１２２Ｌからの光を前方に透過すべく透明な合成樹脂材にて形成されている。
【０１５９】
蓋部材８７１は、ボタン本体８７０の外周面対向位置にそれぞれ形成された凸部８７２に対応する箇所に形成された穴部８７３を前記凸部８７２に係止させることで、ボタン本体８７０と一体化されて操作ボタン８６１が形成されるようになっている。また、ボタン本体８７０と蓋部材８７１との間には、前記操作有効ＬＥＤ１２２Ｌからの光を前方に透過するとともに、筒状体８６０内部を前方から視認不能とするために乳白色に着色された透光板８７４が内蔵される。
【０１６０】
ボタン本体８７０の外周面には、筒状体８６０の係止穴８６６に係脱される外向きの係止爪８７５が、切欠溝を介して弾性変形自在に形成されている。よって、筒状体８６０内に嵌挿した際においてコイルバネ８６２により前方に付勢される操作ボタン８６１は、係止爪８７５の係止作用により操作ボタン８６１の筒状体８６０からの前方への逸脱が規制され、また、操作ボタン８６１がコイルバネ８６２の付勢力に抗して押圧された際において、筒状体８６０内に形成された図示しない規制部により後方移動が規制されるようになっている。
【０１６１】
さらにボタン本体８７０には、コイルバネ８６２の付勢力に抗して後端位置まで押圧された際において、操作ボタン８６１の押圧操作が取付基板８６３に取り付けられた上向きコ字状のストップスイッチ１０３Ｌの投・受光部間に遊挿される遮蔽片８７６が形成されている。この遮蔽片８７６がストップスイッチ１０３Ｌの投・受光部間に遊挿されて光を遮蔽することにより、操作ボタン８６１の押圧操作が検出される。
【０１６２】
取付基板８６３は、前面側に操作有効ＬＥＤ１２２Ｌ及びストップスイッチ１０３Ｌが取り付けられているとともに、後面側にはケーブル接続するためのコネクタ（図示略）が取り付けられており、係止爪８６７に係止されることで筒状体８６０の後端開口に装着される。また、外周縁部には、一方の係止爪８６７が嵌合される係止用切欠部８７７が形成されているが、他方の係止爪８６７に対応する箇所は前記係止用切欠凹部８７７とは異なる形状とされていることで位置決めがなされるようになっている。
【０１６３】
このように、ストップボタンユニット４４０Ｌは単体のユニットとして構成され、ストップボタン挿入穴７９８内に挿入されることにより操作部カバー体５６１に装着されるようになっている。
【０１６４】
前記実施例における各要素は、本発明に対して以下のように対応している。
【０１６５】
本発明の請求項１は、１ゲームに対して賭数を設定することによりゲームが開始可能となるとともに、表示状態を変化させることが可能な可変表示装置（リールユニット５０）の表示結果が導出表示されることにより１ゲームが終了し、該可変表示装置の表示結果に応じて所定の入賞が発生可能なスロットマシン（１）であって、
前記遊技用可変表示装置の可変表示部（５２Ｌ、５２Ｃ、５２Ｒ）または遊技に関連する演出を行うために前記遊技用可変表示装置とは別個に構成される演出用可変表示装置（演出用ユニット９０）の可変表示部（９２Ｌ、９２Ｃ、９２Ｒ）の表示状態の変化を停止させる停止操作ユニット（ストップボタンユニット４４０Ｌ、４４０Ｃ、４４０Ｒ）を着脱自在に装着するための停止操作ユニット装着部（ストップボタン挿入穴７９８〜８００）が設けられており、
該停止操作ユニット装着部は、前記遊技用可変表示装置または前記演出用可変表示装置の可変表示部（５２Ｌ、５２Ｃ、５２Ｒまたは９２Ｌ、９２Ｃ、９２Ｒ）の数の変更に応じて前記停止操作ユニットの配置数を変更することが出来るように構成されている。
【０１６６】
本発明の請求項２は、前記スロットマシン（１）は前記演出用可変表示装置（演出用ユニット９０）を備え、
前記遊技用可変表示装置（リールユニット５０）及び前記演出用可変表示装置は、複数種の識別情報が外周面に配置されるとともに、駆動手段（リールモータ５４Ｌ、５４Ｃ、５４Ｒ／演出用リールモータ１２９Ｌ、１２９Ｃ、１２９Ｒ）により回動自在に設けられたリール（ゲーム用リール５１Ｌ、５１Ｃ、５１Ｒ／演出用リール９１Ｌ、９１Ｃ、９１Ｒ）からなり、
前記演出用可変表示装置に対応する演出用リール（９１Ｌ、９１Ｃ、９１Ｒ）は、前記遊技用可変表示装置に対応する遊技用リール（ゲーム用リール５１Ｌ、５１Ｃ、５１Ｒ）と同一構造とされているとともに、該遊技用リールとともに並設されている。
【０１６７】
本発明の請求項３は、前記停止操作ユニット（ストップボタンユニット４４０Ｌ、４４０Ｃ、４４０Ｒ）は、前記可変表示部（５２Ｌ、５２Ｃ、５２Ｒまたは９２Ｌ、９２Ｃ、９２Ｒ）の数に対応して備えられ、
前記停止操作ユニット装着部（ストップボタン挿入穴７９８〜８００）は、前記停止操作ユニットのうち、配置方向の両端にそれぞれ配置される停止操作ユニット（ストップボタンユニット４４０Ｌ、４４０Ｒ）の配置間隔を変更することなく、各停止操作ユニットを互いに等間隔おきに配置させることが出来るように構成されている。
【０１６８】
本発明の請求項４は、前記停止操作ユニット装着部（ストップボタン挿入穴７９８〜８００）は、配置方向の両端にそれぞれ配置される停止操作ユニット（ストップボタンユニット４４０Ｌ、４４０Ｒ）を装着するための側端装着部（ストップボタン挿入穴７９８、７９９）と、
該両側端装着部間に配置される停止操作ユニットを装着するための中央装着部（ストップボタン挿入穴８００）と、から構成され、
前記中央装着部は、複数の停止操作ユニットの装着部が連続形成された単一の装着部にて形成されている。
【０１６９】
本発明の請求項５は、前記スロットマシン（１）の本体（前面扉３）前面には、前記停止操作ユニット装着部（ストップボタン挿入穴７９８〜８００）の前方を被覆するように装飾する装飾部材（メイン装飾カバー７９０またはメイン装飾カバー８４２）が着脱自在に設けられており、
前記装飾部材には、前記停止操作ユニット装着部に装着された停止操作ユニット（ストップボタンユニット４４０Ｌ、４４０Ｃ、４４０Ｒ）の停止操作部（操作ボタン８６１）を前方に臨ませる挿通穴（ストップボタン挿入穴８２７Ｌ、８２７Ｃ、８２７Ｒ、８４０ａ〜８４０ｄ）が形成されている。
【０１７０】
本発明の請求項６は、前記装飾部材には、前記停止操作ユニット装着部（ストップボタン挿入穴７９８〜８００）を視認不能に隠蔽するための隠蔽部（ローレット加工）が形成されている。
【０１７１】
本発明の請求項７は、前記装飾部材（メイン装飾カバー７９０またはメイン装飾カバー８４２）は、前記停止操作ユニット装着部（ストップボタン挿入穴７９８〜８００）に装着された前記停止操作ユニット（ストップボタンユニット４４０Ｌ、４４０Ｃ、４４０Ｒのフランジ部８６８）によって、前記スロットマシンの本体（前面扉３、操作部カバー体５６１）前面から逸脱不能に係止される。
【０１７２】
以上、本発明の実施例を図面により説明してきたが、具体的な構成はこれら実施例に限られるものではなく、本発明の要旨を逸脱しない範囲における変更や追加があっても本発明に含まれる。
【０１７３】
例えば、上記実施例におけるストップボタン挿入穴７９８〜８００は、機種変更等に伴ってリール５１Ｌ、５１Ｃ、５１Ｒそれぞれの可変表示部の数が例えば３個から４個または４個から３個に変更された場合において、ストップボタンユニット４４０Ｌ、４４０Ｃ、４４０Ｒの配置位置を変更自在に構成されていたが、例えば遊技に関連する演出を行うための演出用可変表示装置としての演出用リール９１Ｌ、９１Ｃ、９１Ｒ（演出用ユニット９０）の可変表示部９２Ｌ、９２Ｃ、９２Ｒの表示状態の変化、すなわち、これら演出用リール９１Ｌ、９１Ｃ、９１Ｒの回転を停止するための演出用ストップボタンユニット（図示略）を、遊技用可変表示装置の表示状態の変化を停止する３個のストップボタンユニット４４０Ｌ、４４０Ｃ、４４０Ｒとは別に増設する場合等においては、演出用ストップボタンユニットを前記ストップボタンユニット４４０Ｌ、４４０Ｃ、４４０Ｒと同様に構成し、ストップボタン挿入穴７９８〜８００に共通して装着出来るようにしてもよい。
【０１７４】
すなわち、本発明における停止操作ユニット装着部は、このような演出用ストップボタンユニットをストップボタンユニット４４０Ｌ、４４０Ｃ、４４０Ｒとともにストップボタン挿入穴７９８、７９９、８００に並設配置することも可能であり、上記実施例のように遊技用可変表示装置（リールユニット５０）の可変表示部の数の増減に対応して遊技用のストップボタンユニット４４０Ｌ、４４０Ｃ、４４０Ｒの配置数の増減のみに対応出来るものだけではなく、演出用ストップボタンユニットの配置数の増減に対応出来るものも含まれる。
【０１７５】
また、このような演出用リールの配置位置は任意であり、例えば特に詳細な図示はしないが、遊技用のリール５１Ｌ、５１Ｃ、５１Ｒとともに並設することも可能であるとともに、増設する演出用リールを遊技用リール５１Ｌ、５１Ｃ、５１Ｒと同一構造とすることで、大きさや形状はともかく、部品や部材を共通化することが出来るので製造コストの低減化を図ることが出来るばかりか、遊技用リール５１Ｌ、５１Ｃ、５１Ｒ及び演出用リールの外観が向上するとともに、並設されるリールと該リールに対応するストップボタンユニットとを関連付けて配置することが出来るため、遊技者に違和感を与えることがない。
【０１７６】
なお、遊技用可変表示装置や演出用可変表示装置は前述したように駆動手段としてのリールモータにより回動するリールにて構成されていたため、リールの増設等に伴って変更する可変表示部の数はリールの配置数の変更に対応していたが、本発明にあっては、例えば遊技用可変表示装置や演出用可変表示装置を画像表示器（例えば液晶表示器やＥＬ表示器）等により構成することも可能であり、この場合、１つの画像表示器により可変表示部の数を任意に変更することが可能であるため、本発明にあっては、遊技用可変表示装置や演出用可変表示装置等の装置自体の数の変更でなく、このような可変表示部のみの数の変更に応じて停止操作ユニットの配置数の変更する場合にも対応可能である。
【０１７７】
【発明の効果】
本発明は以下の効果を奏する。
【０１７８】
（ａ）請求項１項の発明によれば、停止操作ユニット装着部は、予め停止操作ユニットの配置数を変更することが出来るように構成されているため、遊技用可変表示装置または演出用可変表示装置の可変表示部の数を変更する場合において、本体に加工を施したり交換することなく、停止操作ユニットの配置数を容易に変更することが出来る。
【０１７９】
（ｂ）請求項２項の発明によれば、遊技用リール及び演出用リールが同一構造とされているので、リールを増設する場合における製造コストの低減化を図ることが出来るばかりか、遊技用リール及び演出用リールが並設されることで、リールの外観が向上するとともに、並設されるリールと該リールに対応する停止操作ユニットとを関連付けて配置することが出来るため、遊技者に違和感を与えることがない。
【０１８０】
（ｃ）請求項３項の発明によれば、停止操作ユニットの配置数を変更しても、停止操作ユニット装着部の両端に配置される停止操作ユニットの配置位置は変更されないため、停止操作ユニット全体が偏って配置されて、遊技者に違和感を与えることがない。
【０１８１】
（ｄ）請求項４項の発明によれば、両端の停止操作ユニットの配置位置が固定されていることが明確になるため、配置位置の変更を間違えることなく行うことが出来る。
【０１８２】
（ｅ）請求項５項の発明によれば、装飾部材により停止操作ユニット装着部の前方が被覆するように装飾されるので、停止操作ユニット装着部が外部に露呈して外観が損なわれたり、不正行為やいたずら等がなされるのを効果的に回避出来るばかりか、停止操作ユニットの配置数の変更があった場合には、配置される停止操作ユニットに対応する挿通穴が形成された装飾部材に交換するだけで停止操作ユニットの配置数の変更に容易に対応することが出来る。
【０１８３】
（ｆ）請求項６項の発明によれば、装飾部材を透して停止操作ユニット装着部を視認することが出来なくなるため、外観体裁が向上される。
【０１８４】
（ｇ）請求項７項の発明によれば、装飾部材の本体前面への装着が停止操作ユニットの装着と兼用されるため、作業性が向上する。
【図面の簡単な説明】
【図１】本発明の適用されたスロットマシン１を斜め前方から見た斜視図である。
【図２】前面扉３を開放した状態のスロットマシン１を斜め前方から見た斜視図である。
【図３】スロットマシン１を示す正面図である。
【図４】スロットマシン１の筐体２内を示す正面図である。
【図５】スロットマシン１の前面扉を示す背面図である。
【図６】スロットマシン１を示す背面図である。
【図７】スロットマシン１を示す右側面図である。
【図８】（ａ）はスロットマシン１を示す平面図であり、（ｂ）はスロットマシン１を示す底面図である。
【図９】（ａ）（ｂ）は筐体２と前面扉３との関わりを示す要部拡大平面図である。
【図１０】一部の部材が組み付けられた状態の筐体２を示す正面図である。
【図１１】前面枠７００を示す正面図である。
【図１２】前面枠７００を斜め前方から見た斜視図である。
【図１３】前面扉３を構成する部材と前面枠７００との関係を示す斜視図である。
【図１４】操作部カバー体５６１と該操作部カバー体５６１に装着される部材や部品との関係を示す分解斜視図である。
【図１５】操作部カバー体５６１を斜め前方から見た斜視図である。
【図１６】（ａ）は操作部カバー体５６１を示す正面図であり、（ｂ）は操作部カバー体５６１を示す背面図である。
【図１７】（ａ）は３個のストップボタンが装着される場合に装着されるボタンカバー体を示す斜視図であり、（ｂ）は４個のストップボタンが装着される場合に装着されるボタンカバー体を示す斜視図である。
【図１８】ストップボタンユニットを示す分解斜視図である。
【符号の説明】
１                    スロットマシン
２                    筐体
３                    前面扉
４                    施錠装置
４ａ                  鍵穴
５                    上部パネル
６                    遊技パネル
７                    下部パネル
８                    操作部
９                    メダル払出穴
１０                  メダル受皿
１１                  演出用透視窓
１２Ｌ、１２Ｒ        放音部
１３                  灰皿
１４                  透視窓
１５Ｌ、１５Ｒ        運搬用凹部
１６〜２５            演出用表示部
２７                  リプレイ表示部
２８                  スタート表示部
２９                  ウェイト表示部
３０                  投入指示表示部
３１                  クレジット表示部
３２                  ゲーム回数表示部
３３                  ペイアウト表示部
３４                  メダル投入部
３４ａ                メダル投入口
３５                  メダル詰まり解除ボタン
３６ａ                １枚ＢＥＴボタン
３６ｂ                ＭＡＸＢＥＴボタン
３７                  精算ボタン
３８                  スタートレバー
４０Ｌ、４０Ｃ、４０Ｒ    ストップボタン
４１                  遊技効果ＬＥＤ部
４２Ｌ、４２Ｒ        遊技効果ＬＥＤ部
４６                  １枚賭け表示部
４７                  ２枚賭け表示部
４８                  ３枚賭け表示部
５０                  リールユニット
５１Ｌ、５１Ｃ、５１Ｒ    ゲーム用リール
５２Ｌ、５２Ｃ、５２Ｒ    可変表示部
５４Ｌ、５４Ｃ、５４Ｒ    リールモータ
５５Ｌａ〜５５Ｌｃ    リールランプ
５５Ｃａ〜５５Ｃｃ    リールランプ
５５Ｒａ〜５５Ｒｃ    リールランプ
５６Ｌ、５６Ｃ、５６Ｒ    リールセンサ
５７                  ホッパーユニット
５７ａ                ホッパータンク
５９                  オーバーフロータンク
６０ａ、６０ｂ        フルセンサ
６１                  払出しメダルセンサ
６２                  ホッパーモータ
６３                  メダル排出口
６５                  電源ユニット
６６                  メインスイッチ部
６７                  設定／リセットボタン
６８                  自動精算選択スイッチ部
６９                  打止め選択スイッチ部
７０                  設定キー挿入部
７１                  メダルセレクタ
７２                  メダル誘導樋
７３                  メダル返却通路部材
７４                  メダル合流口
７５                  スピーカ取付用穴
９０                  演出用ユニット
９１Ｌ、９１Ｃ、９１Ｒ    演出用リール
９２Ｌ、９２Ｃ、９２Ｒ    可変表示部
９５                  遊技パネルユニット
１００                １枚ＢＥＴスイッチ
１０１                ＭＡＸＢＥＴスイッチ
１０２                スタートスイッチ
１０３Ｌ、１０３Ｃ、１０３Ｒ    ストップスイッチ
１０４                精算スイッチ
１０６ａ、１０６ｂ、１０６ｃ    投入メダルセンサ
１０７                流路切替ソレノイド
１０８                ゲーム回数表示器
１０９                クレジット表示器
１１０                ペイアウト表示器
１１１                １枚賭けＬＥＤ
１１２                ２枚賭けＬＥＤ
１１３                ３枚賭けＬＥＤ
１１４                リプレイＬＥＤ
１１５                スタートＬＥＤ
１１６                ウェイトＬＥＤ
１１７                投入指示ＬＥＤ
１２０                設定値表示器
１２１                ＭＡＸＢＥＴボタンＬＥＤ
１２２Ｌ、１２２Ｃ、１２２Ｒ    操作有効ＬＥＤ
１２４                冷陰極管用インバータ
１２５                蛍光灯用インバータ
１２７Ｌ、１２７Ｃ、１２７Ｒ    演出用リールセンサ
１２８Ｌ、１２８Ｃ、１２８Ｒ    演出用リールＬＥＤ
１２９Ｌ、１２９Ｃ、１２９Ｒ    演出用リールモータ
１３０                遊技効果ＬＥＤ
１３１ａ〜１３１ｃ    遊技効果ＬＥＤ
１３２ａ〜１３２ｃ    遊技効果ＬＥＤ
１３６Ｌ、１３６Ｒ    高音スピーカ
１３７                低音スピーカ
１３８ａ〜１３８ｃ    冷陰極管
１３９                蛍光灯
１４０〜１４９        演出用ランプ
１５０                天板
１５０ａ              前端面
１５１Ｌ              左側板
１５１Ｒ              右側板
１５２                底板
１５２ａ              前端面
１５３                背板
１５４                基板取付用開口
１５４ａ              膨出部
１５５                放熱穴
１５６                自動循環補給装置接続開口
１５７                外部接続配線通し穴
１５８                電源ユニット用放熱開口
１５８ａ              膨出部
１５９                スピーカ用開口
１６１                エンプティセンサ配線通し穴
１６２Ｌ、１６２Ｒ    運搬用開口
１６３Ｌ、１６３Ｒ    収容溝
１６４                上部放熱穴
１６５                メダル回収開口
１６６                切欠凹部
１６７                切欠凹部
１６８                切欠凹部
１７０                上部枠板
１７１                左側部枠板
１７２                右側部枠板
１７３                底部枠板
１７４                リールユニット取付片
１７５                リールユニット係止片
１８４Ｈ、１８４Ｌ    枢軸
１８５Ｈ、１８５Ｌ    係合突片
１８６                載置片
２０１ａ、２０１ｂ    ホッパーユニット係合レール
２１０                電源ユニット押さえ金具
２１１Ｌ、２１１Ｒ    取手部材
２１２                接続開口閉塞部材
２１６                スピーカ保護網
２７０                メダル受皿取付用ネジ穴
２７１                補強用鉄板取付用ネジ穴
２７２                保護板
２７５                反射板
３５０                遊技制御基板ボックス
３５１                基板取付部材
４４０Ｌ、４４０Ｃ、４４０Ｒ  ストップボタンユニット
４４１                スタートレバーユニット
４４２                １枚ＢＥＴボタンユニット
４４３                ＭＡＸＢＥＴボタンユニット
４４４                精算ボタンユニット
５００                遊技制御基板
５０１                演出制御基板
５０２                電源基板
５０３                リール中継基板
５０４                リールランプ中継基板
５０５                外部出力基板
５０６                ドアベース中継基板
５０７                操作部中継基板
５０８                演出用ランプ中継基板
５０９                演出用中継基板
５４１、５４２        演出用ランプ基板
５４３                表示基板
５４４                上部ＬＥＤ基板
５４５ａ〜５４５ｃ    サイドＬＥＤ基板
５４６ａ〜５４６ｃ    サイドＬＥＤ基板
５５０Ｌ、５５０Ｒ    ＬＥＤカバー体
５５１                下部パネル装飾枠
５６０                上部パネルカバー体
５６１                操作部カバー体
７００                前面枠
７０１                遊技パネル開口
７０２                演出用ユニット開口
７０３Ｌ、７０３Ｒ    高音スピーカ用開口
７０４                ストップボタン開口
７０５                メダル詰まり解除ボタン開口
７０６                シリンダ錠開口
７０７                ネジ
７０８                ＬＥＤ基板固定用ボス
７０９                ＬＥＤ基板位置決め用ボス
７１０                ケーブル挿通用開口
７１１ａ〜７１１ｄ    隙間閉塞用突片
７１２                係止爪挿入穴
７１３                位置決め用ボス嵌合ボス
７１４ａ、７１４ｂ    ネジ
７１５ａ、７１５ｂ    ネジ穴
７１６ａ〜７１６ｄ    係止用突片
７１７ａ、７１７ｂ    隙間閉塞用突片
７１８ａ、７１８ｂ    係止爪逃げ部
７１９                取付穴
７２０                操作部カバー体装着部
７２１                ネジ
７２２                切欠部
７２３                後向片
７２４                切欠部
７２５                ネジ穴形成用ボス
７２８                係止爪挿入穴
７２９                蛍光灯装着部
７３０                コード係止フック
７３１                反射板固定用ボス
７３２                位置決め用ボス
７３３                ネジ
７３４                コード挿通穴
７３５                当接規制ボス
７３６                係止爪挿入穴
７３７                係止部形成用凹部
７３８                係止爪挿入穴
７３９、７４０        遮光片
７４１                メダル受皿装着部
７４２                メダル払出開口
７４３                放音開口
７４４                ボス嵌合穴
７４４ａ              取付穴
７４５                上部パネルカバー体装着部
７５５ａ〜７５５ｃ    ネジ
７５６ａ、７５６ｂ    取付穴
７５７                ネジ
７５８                ネジ穴
７５９                係止片挿入穴
７６０                孔部
７６５Ｌ、７６５Ｒ    ＬＥＤカバー体装着部
７６６ａ〜７６６ｃ    ネジ
７６７ａ〜７６７ｃ    ネジ
７６８ａ〜７６８ｃ    固定用ボス
７６９ａ〜７６９ｃ    固定用ボス
７７０ａ〜７７０ｃ    位置決め用ボス
７７１ａ〜７７１ｃ    位置決め用ボス
７７２ａ、７７２ｂ    コード係止フック
７７３ａ、７７３ｂ    コード係止フック
７７４ａ、７７４ｂ    コード挿通用穴
７７５、７７６        係止爪挿入穴
７７７、７７８        ガイド片
７７９ａ、７７９ｂ    ネジ
７８０ａ、７８０ｂ    取付穴
７９０                メイン装飾カバー
７９１                右サイド装飾カバー
７９２                左サイド装飾カバー
７９３                装飾シート
７９５                メイン装飾カバー装着部
７９６                右サイド装飾カバー装着部
７９７                左サイド装飾カバー装着部
７９８〜８００        ストップボタン挿入穴
８０１〜８０３        筒状片
８０４ａ、８０４ｂ    係止爪
８０５                係止爪形成用穴
８０６                スタートレバー挿入穴
８０７                筒状片
８０８                位置決め用凹部
８０９ａ〜８０９ｃ    係止爪挿入穴
８１０                解除ボタン挿入穴
８１１                筒状片
８１２                シリンダ錠挿通穴
８１３ａ、８１３ｂ    係止爪挿入穴
８１４ａ、８１４ｂ    ボタン取付部
８１５ａ、８１５ｂ    係止爪挿入穴
８２０                後向片
８２１、８２１’      １枚ＢＥＴボタン挿入穴
８２１ａ              直線部
８２１ｂ              位置決め用凹部
８２２、８２２’      ＭＡＸＢＥＴボタン挿入穴
８２２ａ              直線部
８２２ｂ              位置決め用凹部
８２３、８２３’      精算ボタン挿入穴
８２３ａ              直線部
８２３ｂ              位置決め用凹部
８２４、８２４’      切欠部
８２５                装飾シート貼着部
８２６                固定用ボス
８２７Ｌ、８２７Ｃ、８２７Ｒ  ストップボタン挿入穴
８２８ａ〜８２８ｃ    位置決め用凹部
８２９                切欠部
８３０                解除ボタン挿通穴
８３１ａ〜８３１ｃ    係止爪
８３２                シリンダ錠挿入穴
８３３ａ、８３３ｂ    係止爪
８３４ａ、８３４ｂ    係止爪
８３５ａ、８３５ｂ    平面部
８３６ａ、８３６ｂ    平面部
８３７ａ〜８３７ｄ    平面部
８３８ａ、８３８ｂ    区画ガイド部
８３９                収容凹溝
８４０ａ〜８４０ｄ    ストップボタン挿入穴
８４２                メイン装飾カバー
８６０                筒状体
８６１                操作ボタン
８６２                コイルバネ
８６３                取付基板
８６４ａ、８６４ｂ    平面部
８６５                係止爪
８６６                係止穴
８６７                係止爪
８６８                フランジ部
８６９                位置決め用凸部
８７０                ボタン本体
８７１                蓋部材
８７１ａ              前面
８７２                凸部
８７３                穴部
８７４                透光板
８７５                係止爪
８７６                遮蔽片
８７７                係止用切欠部
Ｌ１、Ｌ２、Ｌ２’、Ｌ３、Ｌ３’  入賞ライン
【図１】
2004154454.tif 000003
【図２】
2004154454.tif 000004
【図３】
2004154454.tif 000005
【図４】
2004154454.tif 000006
【図５】
2004154454.tif 000007
【図６】
2004154454.tif 000008
【図７】
2004154454.tif 000009
【図８】
2004154454.tif 000010
【図９】
2004154454.tif 000011
【図１０】
2004154454.tif 000012
【図１１】
2004154454.tif 000013
【図１２】
2004154454.tif 000014
【図１３】
2004154454.tif 000015
【図１４】
2004154454.tif 000016
【図１５】
2004154454.tif 000017
【図１６】
2004154454.tif 000018
【図１７】
2004154454.tif 000019
【図１８】
2004154454.tif 000020